(57)【要約】提供されるものは、情報伝送／受信方法、装置、デバイス、および可読記憶媒体である。本方法は、ユーザ機器（ＵＥ）のために構成されるパラメータ間の関連付け関係を確立するステップであって、関連付け関係を伴う種々のパラメータは、同一パラメータグループに属し、ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰの構成パラメータまたは１つ以上のＢＷＰ内の構成パラメータのサブパラメータのうちの少なくとも１つを含む、ステップと、パラメータグループの情報をＵＥに伝送するステップとを含む。
2021533658.tif 000002
【特許請求の範囲】
【請求項１】
情報伝送方法であって、
ユーザ機器（ＵＥ）のために構成されるパラメータ間の関連付け関係を確立することであって、前記関連付け関係を伴う複数のパラメータは、同一パラメータグループに属し、
前記ＵＥのために構成されるパラメータは、複数のコンポーネントキャリア（ＣＣ）、複数の帯域幅部分（ＢＷＰ）、少なくとも１つのＣＣ内の構成パラメータまたは前記少なくとも１つのＣＣ内の前記構成パラメータのサブパラメータ、または少なくとも１つのＢＷＰ内の構成パラメータまたは少なくとも１つのＢＷＰ内の前記構成パラメータのサブパラメータのうちの少なくとも１つを含む、ことと、
前記パラメータグループの情報を前記ＵＥに伝送することと
を含む、方法。
【請求項２】
前記ＵＥのために構成されるパラメータ間の前記関連付け関係を確立する前に、
前記ＵＥのために構成される前記少なくとも１つのＢＷＰ内の前記構成パラメータまたは前記少なくとも１つのＢＷＰ内の前記構成パラメータのサブパラメータをＮ個の部分に拡張または分割することであって、Ｎは、整数である、こと
をさらに含む、請求項１に記載の方法。
【請求項３】
前記ＵＥのために構成される前記少なくとも１つのＢＷＰ内の前記構成パラメータまたは前記少なくとも１つのＢＷＰ内の前記構成パラメータのサブパラメータをＮ個の部分に拡張または分割することは、
前記ＵＥのために構成されるアップリンクＢＷＰ内の構成パラメータまたはダウンリンクＢＷＰ内の構成パラメータのうちの少なくとも１つ、または前記アップリンクＢＷＰ内の前記構成パラメータのサブパラメータまたは前記ダウンリンクＢＷＰ内の前記構成パラメータのサブパラメータのうちの少なくとも１つをＮ個の部分に拡張または分割すること
を含み、
前記アップリンクＢＷＰ内の前記構成パラメータは、物理アップリンク制御チャネル（ＰＵＣＣＨ）の構成パラメータ、物理アップリンク共有チャネル（ＰＵＳＣＨ）の構成パラメータ、またはチャネルサウンディング基準信号（ＳＲＳ）の構成パラメータのうちの少なくとも１つを含み、
前記ダウンリンクＢＷＰ内の前記構成パラメータは、物理ダウンリンク制御チャネル（ＰＤＣＣＨ）の構成パラメータまたは物理ダウンリンク共有チャネル（ＰＤＳＣＨ）の構成パラメータのうちの少なくとも１つを含む、
請求項２に記載の方法。
【請求項４】
前記ユーザ機器（ＵＥ）のために構成されるパラメータ間の前記関連付け関係を確立することは、
グループインデックスを前記ＵＥのために構成されるパラメータに追加することであって、同一グループインデックスを伴うパラメータは、前記関連付け関係を有する、こと
を含む、請求項１に記載の方法。
【請求項５】
異なるＣＣまたは異なるＢＷＰ上の同一グループインデックスを伴うパラメータは、前記関連付け関係を有する、請求項４に記載の方法。
【請求項６】
前記ＰＤＣＣＨの構成パラメータは、制御リソースセットを備え、
前記ＵＥのために構成される前記ダウンリンクＢＷＰ内の前記構成パラメータのサブパラメータをＮ個の部分に分割することは、構成されるグループインデックスに従って、前記制御リソースセットをＮ個の部分に分割することを含む、請求項３に記載の方法。
【請求項７】
異なるパラメータグループ内のパラメータは、異なる送受信ポイント（ＴＲＰ）のデータ伝送のために使用される、請求項１−６のいずれか１項に記載の方法。
【請求項８】
前記グループインデックスを前記ＵＥのために構成されるパラメータに追加後、
前記パラメータグループのグループインデックスと上位層シグナリングによって構成されるスクランブリング識別子（ＩＤ）との間の対応を確立すること
をさらに含む、請求項４に記載の方法。
【請求項９】
前記上位層シグナリングによって構成されるスクランブリングＩＤは、セル識別子（ＩＤ）に対応する、または前記上位層シグナリングによって構成されるスクランブリングＩＤは、復調基準信号のスクランブリングＩＤに対応する、請求項８に記載の方法。
【請求項１０】
異なるパラメータグループに対応する検索空間またはアップリンク伝送を異なる時間単位に配分することをさらに含む、請求項１に記載の方法。
【請求項１１】
前記時間単位は、スロットまたは時間ドメインシンボルである、請求項１０に記載の方法。
【請求項１２】
前記アップリンク伝送は、アップリンク制御情報（ＵＣＩ）をフィードバックするために使用される、請求項１０に記載の方法。
【請求項１３】
１つのＣＣまたは１つのＢＷＰ内において、異なるパラメータグループに対応する前記ＰＤＳＣＨ、前記ＰＵＳＣＨ、または前記ＰＤＣＣＨ内の以下の構成パラメータ、すなわち、
ハイブリッド自動反復要求（ＨＡＲＱ）処理番号または復調基準信号ポート
のうちの少なくとも１つは、異なる、請求項１に記載の方法。
【請求項１４】
異なるパラメータグループに対応する前記ＰＤＳＣＨまたはＰＵＳＣＨ内の復調基準信号ポートが、異なる場合、前記異なるパラメータグループに対応する前記ＰＵＳＣＨまたは前記ＰＤＳＣＨ内の時間周波数ドメインリソースは、重複される、請求項１３に記載の方法。
【請求項１５】
各パラメータグループ内のダウンリンク配分インデックス（ＤＡＩ）を独立して示すことをさらに含む、請求項１に記載の方法。
【請求項１６】
１つのＣＣまたは１つのＢＷＰ内において、異なるパラメータグループに対応する物理アップリンク共有チャネル（ＰＵＳＣＨ）または物理ダウンリンク共有チャネル（ＰＤＳＣＨ）が、時間ドメイン内で重複する場合、各ＰＤＳＣＨまたはＰＵＳＣＨ内のコードワード（ＣＷ）の数は、Ｍ個に限定され、Ｍは、１以上の整数である、請求項１に記載の方法。
【請求項１７】
異なるパラメータグループに対応する前記ＰＵＳＣＨまたは前記ＰＤＳＣＨが、前記時間ドメイン内で重複しない場合、各ＰＤＳＣＨ内のＣＷの数Ｍは、上位層シグナリングによって構成される、請求項１６に記載の方法。
【請求項１８】
異なるパラメータグループ内の前記複数のパラメータは、異なる媒体アクセス制御（ＭＡＣ）制御要素に対応する、請求項１に記載の方法。
【請求項１９】
情報受信方法であって、
ユーザ機器（ＵＥ）のために構成されるパラメータグループおよび前記ＵＥのために構成されるパラメータ間の関連付け関係の情報を受信することであって、前記関連付け関係を伴う複数のパラメータは、同一パラメータグループに属する、こと
を含み、
前記ＵＥのために構成されるパラメータは、複数のコンポーネントキャリア（ＣＣ）、複数の帯域幅部分（ＢＷＰ）、少なくとも１つのＣＣ内の構成パラメータまたは前記少なくとも１つのＣＣ内の前記構成パラメータのサブパラメータ、または少なくとも１つのＢＷＰ内の構成パラメータまたは少なくとも１つのＢＷＰ内の前記構成パラメータのサブパラメータのうちの少なくとも１つを含む、方法。
【請求項２０】
前記ＵＥのために構成されるパラメータ間の前記関連付け関係を受信する前に、
伝送端によって、前記ＵＥのために構成される前記少なくとも１つのＢＷＰ内の前記構成パラメータまたは前記少なくとも１つのＢＷＰ内の前記構成パラメータのサブパラメータをＮ個の部分に拡張または分割することであって、Ｎは、整数である、こと
をさらに含む、請求項１９に記載の方法。
【請求項２１】
前記伝送端によって、前記ＵＥのために構成される前記少なくとも１つのＢＷＰ内の前記構成パラメータまたは前記少なくとも１つのＢＷＰ内の前記構成パラメータのサブパラメータをＮ個の部分に拡張または分割することは、
前記伝送端によって、アップリンクＢＷＰ内の構成パラメータまたはダウンリンクＢＷＰ内の構成パラメータのうちの少なくとも１つ、または前記アップリンクＢＷＰ内の前記構成パラメータのサブパラメータまたは前記ダウンリンクＢＷＰ内の前記構成パラメータのサブパラメータのうちの少なくとも１つをＮ個の部分に拡張または分割すること
を含み、
前記アップリンクＢＷＰ内の前記構成パラメータは、物理アップリンク制御チャネル（ＰＵＣＣＨ）の構成パラメータ、物理アップリンク共有チャネル（ＰＵＳＣＨ）の構成パラメータ、またはチャネルサウンディング基準信号（ＳＲＳ）の構成パラメータのうちの少なくとも１つを含み、
前記ダウンリンクＢＷＰ内の前記構成パラメータは、物理ダウンリンク制御チャネル（ＰＤＣＣＨ）の構成パラメータまたは物理ダウンリンク共有チャネル（ＰＤＳＣＨ）の構成パラメータのうちの少なくとも１つを含む、
請求項２０に記載の方法。
【請求項２２】
前記ＵＥのために構成されるパラメータ間の前記関連付け関係を受信することは、
伝送端によって、グループインデックスを前記ＵＥのために構成されるパラメータに追加することであって、同一グループインデックスを伴うパラメータは、前記関連付け関係を有する、こと
を含む、請求項１９に記載の方法。
【請求項２３】
異なるＣＣまたは異なるＢＷＰ上の同一グループインデックスを伴うパラメータは、前記関連付け関係を有する、請求項２２に記載の方法。
【請求項２４】
前記ＰＤＣＣＨの構成パラメータは、制御リソースセットを備え、
前記伝送端によって、前記ＵＥのために構成される前記ダウンリンクＢＷＰ内の前記構成パラメータのサブパラメータをＮ個の部分に分割することは、前記伝送端によって構成される前記グループインデックスに従って、前記制御リソースセットをＮ個の部分に分割することを含む、請求項２１に記載の方法。
【請求項２５】
異なるパラメータグループ内のパラメータは、異なる送受信ポイント（ＴＲＰ）のデータ伝送のために使用される、請求項１９−２４のいずれか１項に記載の方法。
【請求項２６】
前記伝送端によって、前記グループインデックスを前記ＵＥのために構成されるパラメータに追加後、
前記伝送端によって、前記パラメータグループのグループインデックスと上位層シグナリングによって構成されるスクランブリング識別子（ＩＤ）との間の対応を確立すること
をさらに含む、請求項２２に記載の方法。
【請求項２７】
前記上位層シグナリングによって構成されるスクランブリングＩＤは、セル識別子（ＩＤ）に対応する、または前記上位層シグナリングによって構成される前記スクランブリングＩＤは、復調基準信号のスクランブリングＩＤに対応する、請求項２６に記載の方法。
【請求項２８】
伝送端によって、異なるパラメータグループに対応する検索空間またはアップリンク伝送を異なる時間単位に配分することをさらに含む、請求項１９に記載の方法。
【請求項２９】
前記時間単位は、スロットまたは時間ドメインシンボルである、請求項２８に記載の方法。
【請求項３０】
前記アップリンク伝送は、アップリンク制御情報（ＵＣＩ）をフィードバックするために使用される、請求項２８に記載の方法。
【請求項３１】
１つのＣＣまたは１つのＢＷＰ内において、異なるパラメータグループに対応する前記ＰＤＳＣＨ、前記ＰＵＳＣＨ、または前記ＰＤＣＣＨ内の以下の構成パラメータ、すなわち、
ハイブリッド自動反復要求（ＨＡＲＱ）処理番号または復調基準信号ポート
のうちの少なくとも１つは、異なる、請求項１９に記載の方法。
【請求項３２】
異なるパラメータグループに対応する前記ＰＤＳＣＨまたはＰＵＳＣＨ内の復調基準信号ポートが、異なる場合、前記異なるパラメータグループに対応する前記ＰＵＳＣＨまたは前記ＰＤＳＣＨ内の時間周波数ドメインリソースは、重複される、請求項３１に記載の方法。
【請求項３３】
それぞれ、各パラメータグループ内のダウンリンク配分インデックス（ＤＡＩ）を計算することをさらに含む、請求項１９に記載の方法。
【請求項３４】
１つのＣＣまたは１つのＢＷＰ内において、異なるパラメータグループに対応する物理アップリンク共有チャネル（ＰＵＳＣＨ）または物理ダウンリンク共有チャネル（ＰＤＳＣＨ）が、時間ドメイン内で重複する場合、各ＰＤＳＣＨまたはＰＵＳＣＨ内のコードワード（ＣＷ）の数は、Ｍ個に限定され、Ｍは、１以上の整数である、請求項１９に記載の方法。
【請求項３５】
異なるパラメータグループに対応する前記ＰＵＳＣＨまたは前記ＰＤＳＣＨが、前記時間ドメイン内で重複しない場合、各ＰＤＳＣＨ内のコードワードの数Ｍは、上位層シグナリングによって構成される、請求項３４に記載の方法。
【請求項３６】
異なるパラメータグループ内の前記複数のパラメータは、異なる媒体アクセス制御（ＭＡＣ）制御要素（ＣＥ）に対応する、請求項１９に記載の方法。
【請求項３７】
情報伝送装置であって、
ユーザ機器（ＵＥ）のために構成されるパラメータ間の関連付け関係を確立するように構成される関連付けモジュールであって、前記関連付け関係を伴う複数のパラメータは、同一パラメータグループに属し、
前記ＵＥのために構成されるパラメータは、複数のコンポーネントキャリア（ＣＣ）、複数の帯域幅部分（ＢＷＰ）、少なくとも１つのＣＣ内の構成パラメータまたは前記少なくとも１つのＣＣ内の前記構成パラメータのサブパラメータ、または少なくとも１つのＢＷＰ内の構成パラメータまたは少なくとも１つのＢＷＰ内の前記構成パラメータのサブパラメータのうちの少なくとも１つを含む、関連付けモジュールと、
前記パラメータグループの情報を前記ＵＥに伝送するように構成される伝送モジュールと
を備える、情報伝送装置。
【請求項３８】
情報受信側装置であって、
ユーザ機器（ＵＥ）のために構成されるパラメータグループおよび前記ＵＥのために構成されるパラメータ間の関連付け関係の情報を受信するように構成される受信モジュールであって、前記関連付け関係を伴う複数のパラメータは、同一パラメータグループに属する、受信モジュール
を備え、
前記ＵＥのために構成されるパラメータは、複数のコンポーネントキャリア（ＣＣ）、複数の帯域幅部分（ＢＷＰ）、少なくとも１つのＣＣ内の構成パラメータまたは前記少なくとも１つのＣＣ内の前記構成パラメータのサブパラメータ、または少なくとも１つのＢＷＰ内の構成パラメータまたは少なくとも１つのＢＷＰ内の前記構成パラメータのサブパラメータのうちの少なくとも１つを含む、情報受信側装置。
【請求項３９】
プロセッサと、メモリと、通信バスとを備える情報伝送デバイスであって、
前記通信バスは、前記プロセッサと前記メモリとの間の接続通信を実装するように構成され、
前記プロセッサは、前記メモリ内に記憶される情報伝送プログラムを実行し、請求項１−１８のいずれか１項に記載の情報伝送方法を実施するように構成される、
情報伝送デバイス。
【請求項４０】
プロセッサと、メモリと、通信バスとを備える情報受信側デバイスであって、
前記通信バスは、前記プロセッサと前記メモリとの間の接続通信を実装するように構成され、
前記プロセッサは、前記メモリ内に記憶される情報受信プログラムを実行し、請求項１９−３６のいずれか１項に記載の情報受信方法を実施するように構成される、
情報受信側デバイス。
【請求項４１】
情報伝送プログラムとともに記憶されるコンピュータ可読記憶媒体であって、
前記情報伝送プログラムは、少なくとも１つのプロセッサによって実行されると、請求項１−１８のいずれか１項に記載の情報伝送方法を実施する、コンピュータ可読記憶媒体。
【請求項４２】
情報受信プログラムとともに記憶されるコンピュータ可読記憶媒体であって、
前記情報受信プログラムは、少なくとも１つのプロセッサによって実行されると、請求項１９−３６のいずれか１項に記載の情報受信方法を実施する、コンピュータ可読記憶媒体。
【請求項４３】
マルチポイント伝送方法であって、
１つの帯域幅部分（ＢＷＰ）またはコンポーネントキャリア（ＣＣ）内の複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）を、同一伝送ブロック（ＴＢ）を有するように構成すること
を含む、方法。
【請求項４４】
同一スロットまたは複数の隣接するスロット内において、異なるＤＣＩ内のハイブリッド自動反復要求（ＨＡＲＱ）処理番号は、同一値を有する、請求項４３に記載の方法。
【請求項４５】
異なるＤＣＩ内の冗長バージョン（ＲＶ）は、異なる、請求項４３に記載の方法。
【請求項４６】
ユーザ機器（ＵＥ）によって、前記複数のＰＤＳＣＨに関する確認応答／非確認応答（Ａ／Ｎ）をフィードバックすることを含む、請求項４３に記載の方法。
【請求項４７】
前記フィードバックされるＡ／Ｎは、論理「ＯＲ」を前記複数のＰＤＳＣＨに対応するＡ／Ｎ値に実施することによって取得される、請求項４６に記載の方法。
【請求項４８】
マルチポイント伝送装置であって、１つの帯域幅部分（ＢＷＰ）またはコンポーネントキャリア（ＣＣ）内の複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）を、同一伝送ブロック（ＴＢ）を有するように構成するように構成される、マルチポイント伝送装置。
【請求項４９】
プロセッサと、メモリと、通信バスとを備えるマルチポイント伝送デバイスであって、
前記通信バスは、前記プロセッサと前記メモリとの間の接続通信を実装するように構成され、
前記プロセッサは、前記メモリ内に記憶されるマルチポイント伝送プログラムを実行し、請求項４３−４７のいずれか１項に記載のマルチポイント伝送方法を実施するように構成される、
マルチポイント伝送デバイス。
【請求項５０】
マルチポイント伝送プログラムとともに記憶されるコンピュータ可読記憶媒体であって、
前記マルチポイント伝送プログラムは、少なくとも１つのプロセッサによって実行されると、請求項４３−４７のいずれか１項に記載のマルチポイント伝送方法を実施する、コンピュータ可読記憶媒体。
【発明の詳細な説明】
【技術分野】
【０００１】
（優先権の主張）
本願は、その開示が、参照することによってその全体として本明細書に組み込まれる、２０１８年８月８日にＣＮＩＰＡに出願された、中国特許出願第２０１８１０８９７９２６．３号の優先権を主張する。
【０００２】
本願は、データ伝送技術の分野に関し、特に、情報伝送／受信方法、装置、デバイス、および可読記憶媒体に関する。
【背景技術】
【０００３】
新規無線（ＮＲ）リリース１５バージョンでは、複数の送受信ポイント（ＴＲＰ）の合同伝送は、完全に議論されておらず、特に、複数のＴＲＰが動的相互作用を有していない、シナリオに関しては、殆ど議論されていない。したがって、ＮＲバージョンは、複数のＴＲＰが同一ユーザ機器上へのデータ伝送を実施する、ソリューションをサポートしない。
【発明の概要】
【発明が解決しようとする課題】
【０００４】
本願は、情報伝送／受信方法、装置、デバイス、および可読記憶媒体を提供する。複数のＴＲＰが理想的バックホールを有していない、シナリオに関して、新しいシグナリング設計が、複数のダウンリンク制御情報（ＤＣＩ）スケジューリングのソリューションをサポートするために提案される。
【課題を解決するための手段】
【０００５】
本開示は、情報伝送方法を提供する。本方法は、下記に説明されるステップを含む。
【０００６】
ユーザ機器（ＵＥ）のために構成されるパラメータ間の関連付け関係が、確立され、関連付け関係を伴う種々のパラメータは、同一パラメータグループに属する。
【０００７】
ＵＥのために構成されるパラメータは、複数のコンポーネントキャリア（ＣＣ）、複数の帯域幅部分（ＢＷＰ）、１つ以上のＣＣ内の構成パラメータ、または１つ以上のＣＣ内の構成パラメータのサブパラメータ、または１つ以上のＢＷＰ内の構成パラメータまたは１つ以上のＢＷＰ内の構成パラメータのサブパラメータのうちの少なくとも１つを含む。
【０００８】
パラメータグループの情報は、ＵＥに伝送される。
【０００９】
本開示はさらに、情報受信方法を提供する。本方法は、下記に説明されるステップを含む。
【００１０】
ユーザ機器（ＵＥ）のために構成されるパラメータグループおよびＵＥのために構成されるパラメータ間の関連付け関係の情報が、受信され、関連付け関係を伴う種々のパラメータは、同一パラメータグループに属する。
【００１１】
ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰ内の構成パラメータまたは１つ以上のＢＷＰ内の構成パラメータのサブパラメータのうちの少なくとも１つを含む。
【００１２】
本開示はさらに、マルチポイント伝送方法を提供する。本方法は、下記に説明されるステップを含む。
【００１３】
１つの帯域幅部分（ＢＷＰ）またはコンポーネントキャリア（ＣＣ）内の複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）は、同一伝送ブロック（ＴＢ）を有するように構成される。
【００１４】
本願は、情報伝送／受信方法、装置、デバイス、および可読記憶媒体を提供する。複数のＴＲＰが理想的バックホールを有していない、シナリオに関して、新しいシグナリング設計が、複数のダウンリンク制御情報（ＤＣＩ）スケジューリングをサポートするために提案される。
【図面の簡単な説明】
【００１５】
【図１】図１は、本願の第１の実施形態における、２つのＴＲＰの両方がデータを同一ＵＥに伝送する概略図である。
【図２】図２は、本願の第１の実施形態における、情報伝送方法のフローチャートである。
【図３】図３は、本願の第２の実施形態における情報伝送方法のフローチャートである。
【図４】図４は、本願の第２の実施形態における、同一スロット内の複数のＰＤＳＣＨフィードバックのＡ／Ｎの略図である。
【図５】図５は、本願の第２の実施形態における同一スロット内の複数のＰＤＳＣＨフィードバックによってスケジュールされる、Ａ／Ｎの略図である。
【図６】図６は、本願の第２の実施形態における、異なるスロット上に異なる対応フィードバックを有する、ＵＣＩの略図である。
【図７】図７は、本願の第３の実施形態における、情報受信方法のフローチャートである。
【図８】図８は、本願の第４の実施形態における、情報伝送装置の構造図である。
【図９】図９は、第５の本願の実施形態における、情報受信側装置の構造図である。
【図１０】図１０は、本願の第６および第７の実施形態における、情報伝送または受信側デバイスの構造図である。
【発明を実施するための形態】
【００１６】
本願で達成される所定の目的および効果を達成するために採用される、技術的手段をさらに説明するために、本願は、図面および実施形態と併せて、下記に説明される。
【００１７】
ＮＲリリース１５では、複数のＴＲＰがデータを同一ユーザ機器に伝送する、複数の送受信ポイント（マルチＴＲＰ）伝送のソリューションに関して検討されていない。図１に示されるように、２つのＴＲＰの両方が、データを同一ユーザのユーザ機器（ＵＥ）に伝送する。２つのＴＲＰは、同一時間単位においてデータをＵＥに伝送してもよい、または異なる時間単位においてデータをＵＥに伝送してもよいことに留意されたい。
【００１８】
理想的バックホールがＴＲＰ０とＴＲＰ１との間に存在する、シナリオでは、ＵＥのサービス提供セル（ＴＲＰ０であると仮定する）が、ＰＤＣＣＨを伝送し、複数のデータストリーム、すなわち、複数のトランスポート層をスケジュールし得る。すなわち、データストリームを実際に伝送するとき、異なる層が、ＴＲＰ０およびＴＲＰ１によって伝送され得る。例えば、ＴＲＰ０によって伝送される、ダウンリンク制御情報フォーマット（ＤＣＩフォーマット１＿１）では、４層のデータ伝送が、スケジュールされ、それぞれ、４つの復調基準信号ポート（ＤＭＲＳポート）に対応する。２層は、ＴＲＰ０から生じ得、他の２層は、ＴＲＰ１から生じ得る。本シナリオでは、複数のＴＲＰの伝送が、２つの協働的ＴＲＰが、動的に相互作用し得、制御チャネルの伝送が、主に、サービス提供セルによって実装されるため、主要な変更を伴わずにサポートされ得る。
【００１９】
しかしながら、理想的バックホールが２つのＴＲＰ間に存在しない、シナリオでは、２つの協働的ＴＲＰは、動的に相互作用することができず、マルチＴＲＰ合同伝送を実装するための著しい干渉を回避するために、半静的にのみ相互作用し得る。
【００２０】
複数のＴＲＰによる同一ＵＥ上へのデータ伝送を実装するために、本願の第１の実施形態は、情報伝送方法を提供する。図２に示されるように、本方法は、下記に説明されるステップを含む。
【００２１】
ステップＳ２０１では、ユーザ機器（ＵＥ）のために構成されるパラメータ間の関連付け関係が、確立され、関連付け関係を伴う種々のパラメータは、同一パラメータグループに属する。
【００２２】
ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰ内の構成パラメータまたは１つ以上のＢＷＰ内の構成パラメータのサブパラメータのうちの少なくとも１つを含む。
【００２３】
ステップＳ２０２では、パラメータグループの情報が、ＵＥに伝送される。
【００２４】
ＮＲプロトコルのフレームワークに基づいて、ＣＣまたはＢＷＰのセットのある構成（複数のＴＲＰは、ＣＣまたはＢＷＰのセットの構成を共有すると仮定する）下、マルチＴＲＰ伝送をサポートするためのソリューションは、ＵＥのために構成されるパラメータをＮ個の部分に拡張または分割するステップを含み、Ｎは、正の整数であって、パラメータの拡張または分割されるＮ個の部分は、それぞれ、Ｎ個のＴＲＰに対応する。例えば、図１では、１つのＵＥ上への合同伝送を実施する、２つのＴＲＰが存在する場合、Ｎ＝２である。異なるＴＲＰは、異なるトラフィック負荷、カバレッジ、チャネル条件等を有し得るため、ＵＥのためのパラメータ構成もまた、異なり得る。この場合、ＵＥのいくつかの構成パラメータは、Ｎ個のＴＲＰのために別個に構成され、これは、マルチＴＲＰ合同伝送のフレキシビリティを提供する。
【００２５】
本開示の実施形態では、ＵＥのために構成されるパラメータは、Ｎ個のパラメータグループに分割され、各パラメータグループ内の種々のパラメータは、関連付け関係を有する。異なるパラメータグループ内のパラメータは、異なるＴＲＰのデータ伝送のために使用される、すなわち、各パラメータグループは、同一ＵＥ上への複数のＴＲＰによって実施されるデータ伝送のソリューションを実装するように、ＴＲＰ毎に配分される。
【００２６】
本願の第２の実施形態は、情報伝送方法を提供する。図３に示されるように、本方法は、下記に説明されるステップを含む。
【００２７】
ステップＳ３０１では、ＵＥのために構成されるパラメータが、Ｎ個の部分に拡張または分割される。
【００２８】
ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰ内の構成パラメータまたは１つ以上のＢＷＰ内の構成パラメータのサブパラメータのうちの少なくとも１つを含む。
【００２９】
ＮＲプロトコルのフレームワークに基づいて、ＣＣまたはＢＷＰのセットの構成（複数のＴＲＰは、ＣＣまたはＢＷＰのセットの構成を共有すると仮定する）下、マルチＴＲＰ伝送をサポートするためのソリューションは、ＵＥのために構成されるパラメータをＮ個の部分に拡張または分割するステップを含み、Ｎは、正の整数であって、パラメータの拡張または分割されるＮ個の部分は、それぞれ、Ｎ個のＴＲＰに対応する。例えば、図１では、１つのＵＥ上への合同伝送を実施する、２つのＴＲＰが存在する場合、Ｎ＝２である。異なるＴＲＰは、異なるトラフィック負荷、カバレッジ、チャネル条件等を有し得るため、ＵＥのためのパラメータ構成もまた、異なり得る。この場合、ＵＥのいくつかの構成パラメータは、Ｎ個のＴＲＰのために別個に構成され、これは、マルチＴＲＰ合同伝送のフレキシビリティを提供する。
【００３０】
特に、ステップＳ３０１は、
ＵＥのために構成される複数のＣＣまたはＢＷＰをＮ個の部分に拡張または分割する、またはＵＥのために構成される１つ以上のＣＣ内の構成パラメータまたはＵＥのために構成される１つ以上のＣＣ内の構成パラメータのサブパラメータをＮ個の部分に拡張または分割する、またはＵＥのために構成される１つ以上のＢＷＰ内の構成パラメータまたはＵＥのために構成される１つ以上のＢＷＰ内の構成パラメータのサブパラメータをＮ個の部分に拡張または分割するステップを含む。
【００３１】
さらに、ＵＥのために構成される１つ以上のＣＣ内の構成パラメータまたはＵＥのために構成される１つ以上のＣＣ内の構成パラメータのサブパラメータをＮ個の部分に拡張または分割するステップは、アップリンクＢＷＰおよび／またはダウンリンクＢＷＰ内の構成パラメータまたはアップリンクＢＷＰおよび／またはダウンリンクＢＷＰ内の構成パラメータのサブパラメータをＮ個の部分に拡張または分割するステップを含む。
【００３２】
アップリンクＢＷＰの構成パラメータは、物理アップリンク制御チャネル（ＰＵＣＣＨ）の構成パラメータ、物理アップリンク共有チャネル（ＰＵＳＣＨ）の構成パラメータ、またはチャネルサウンディング基準信号（ＳＲＳ）の構成パラメータのうちの少なくとも１つを含む。
【００３３】
ダウンリンクＢＷＰ内の構成パラメータは、物理ダウンリンク制御チャネル（ＰＤＣＣＨ）の構成パラメータまたは物理ダウンリンク共有チャネル（ＰＤＳＣＨ）の構成パラメータのうちの少なくとも１つを含む。
【００３４】
随意に、Ｎ個のＴＲＰ間の動的相互作用が存在しないため、１つのＤＣＩが２つのＴＲＰの動的データをスケジュールすることをサポートしない場合がある。したがって、Ｎ個のＴＲＰは、Ｎ個の独立ＰＤＣＣＨまたはＮ個の独立ＤＣＩを伝送し、その個別のＰＤＳＣＨをスケジュールする必要がある。したがって、ＰＤＣＣＨの構成情報は、好ましくは、Ｎ個のＴＲＰと別個であるべきである。この場合、異なるＴＲＰは、条件に従って、ＵＥのための異なる制御チャネルを構成し得る。加えて、図１から、同一ＵＥ上への伝送を実施するために２つのＴＲＰによって使用されるビームは、異なり、したがって、ＴＲＰ０およびＴＲＰ１のＰＤＣＣＨを伝送するためのビームも、異なるべきであることが分かり得る。この場合、ＴＲＰ０およびＴＲＰ１のＰＤＣＣＨは、独立して構成されることが好ましい。例えば、別のｐｄｃｃｈ−Ｃｏｎｆｉｇ２が、関連技術分野におけるｐｄｃｃｈ−Ｃｏｎｆｉｇに基づいて追加される、すなわち、ｐｄｃｃｈ−Ｃｏｎｆｉｇは、下記に説明される設計１等、それぞれ、協働的セルＴＲＰ０およびＴＲＰ１に対応する、２つの部分に拡張される。代替として、関連技術分野におけるｐｄｃｃｈ−Ｃｏｎｆｉｇは、下記に説明される設計２等、Ｎ個のＴＲＰのＰＤＣＣＨ構成に対応する、Ｎ個の部分に拡張される。
【００３５】
【化１】
2021533658.tif 000003
【化２−１】
2021533658.tif 000004
【化２−２】
2021533658.tif 000005
【００３６】
異なるＢＷＰまたはＣＣに関して、Ｎの数は、異なり得る。例えば、ＣＣ０上では、ｐｄｃｃｈ−Ｃｏｎｆｉｇの２つの部分は、２つのＴＲＰの伝送に対応するように構成されるが、ｐｄｃｃｈ−Ｃｏｎｆｉｇの１つの部分のみが、１つのＴＲＰの伝送に対応するように、ＣＣ１上に構成される（すなわち、マルチＴＲＰ伝送は、サポートされない）。このように、フレキシビリティは、最大限である。複数のＴＲＰは、異なるＣＣのトラフィック負荷およびチャネル周波数に基づいて、マルチＴＲＰ合同伝送が要求されるかどうかを選択的に決定し得る。例えば、ＴＲＰ１は、トラフィック負荷が高くなるような大トラフィック量をＣＣ１上に有し、したがって、ＴＲＰ０に対応するｐｄｃｃｈ−Ｃｏｎｆｉｇの１つの部分のみが、ＣＣ１上でＵＥのために構成される必要があり、ＴＲＰ１は、ＣＣ１上でデータをＵＥに伝送する必要がない、すなわち、ＴＲＰ０のみが、ＣＣ１上でＵＥへのシングルポイント伝送を実施する。
【００３７】
随意に、ＰＤＳＣＨのビーム構成が、媒体アクセス制御（ＭＡＣ）層シグナリング（ＭＡＣ層のシグナリングが、ＰＤＳＣＨを通して伝送される）によって選択され、０〜３ビットの動的ＤＣＩによって動的に通知される。したがって、Ｎ個のＴＲＰの伝送構成インジケータ（ＴＣＩ）は、ＰＤＳＣＨのビーム方向がＮ個のＴＲＰに関して異なるため、独立して構成されることが好ましい。より高いフレキシビリティを有するために、１つのＵＥのためのＴＣＩ構成は、Ｎ個の部分に拡張されてもよい。以下は、設計１に従って、ＴＣＩ構成を２つの部分に拡張するステップを示す。設計２のソリューションもまた、運用可能である。
【００３８】
【化３−１】
2021533658.tif 000006
【化３−２】
2021533658.tif 000007
【００３９】
随意に、フレキシビリティに関して、ｒａｔｅＭａｔｃｈＰａｔｔｅｒｎＧｒｏｕｐ１およびｒａｔｅＭａｔｃｈＰａｔｔｅｒｎＧｒｏｕｐ２のレートマッチングパラメータ等、ＰＤＳＣＨ−Ｃｏｎｆｉｇ内に含まれるある他のサブパラメータもまた、Ｎ個の部分に拡張されてもよい。代替として、ＰＤＳＣＨ−Ｃｏｎｆｉｇは、下記に示されるように、直接、Ｎ個の部分に拡張されてもよい。例えば、オリジナルＰＤＳＣＨ−Ｃｏｎｆｉｇは、２つの部分、すなわち、それぞれ、２つのＴＲＰの構成に対応する、ＰＤＳＣＨ−ＣｏｎｆｉｇおよびＰＤＳＣＨ−Ｃｏｎｆｉｇ２に拡張される。異なるＢＷＰまたはＣＣに関して、Ｎの数は、異なり得る。
【００４０】
【化４−１】
2021533658.tif 000008
【化４−２】
2021533658.tif 000009
【００４１】
随意に、アップリンクＢＷＰまたはＣＣ内に含まれるアップリンク構成パラメータもまた、複数の部分に拡張され、フレキシビリティを増加させてもよい。例えば、ＰＵＣＣＨは、ｐｕｃｃｈ−Ｃｏｎｆｉｇを構成し、ＰＵＳＣＨは、ｐｕｓｃｈ−Ｃｏｎｆｉｇを構成し、ＳＲＳは、ｓｒｓ−ｃｏｎｆｉｇを構成する等となる。
【００４２】
要するに、本開示の実施形態では、ＢＷＰ構成内に含まれるいくつかのパラメータは、Ｎ個のＴＲＰの伝送に対応するように、Ｎ個の部分に拡張される。いくつかのパラメータは、Ｎ個のＴＲＰのために共有されてもよく、したがって、拡張される必要はない。アップリンクＢＷＰ構成内に含まれるパラメータ（ＢＷＰ−ＵｐｌｉｎｋＤｅｄｉｃａｔｅｄ）およびダウンリンクＢＷＰ構成内に含まれるパラメータ（ＢＷＰ−ＤｐｌｉｎｋＤｅｄｉｃａｔｅｄ）は、独立して拡張される。異なるＢＷＰは、異なるＮ値を有することができる。さらに、ＢＷＰ構成内に含まれるいくつかの構成パラメータのサブサブパラメータまたはサブパラメータも、拡張されてもよく、例えば、ＢＷＰ構成内のｐｄｓｃｈ−Ｃｏｎｆｉｇのパラメータのサブパラメータである、ＴＣＩ構成パラメータ（ｔｃｉ−ＳｔａｔｅｓＴｏＡｄｄＭｏｄＬｉｓｔ等）が、拡張される。
【００４３】
加えて、ＣＣ構成内に含まれるいくつかの構成パラメータも、Ｎ個のＴＲＰに対応するように、Ｎ個の部分に拡張されてもよい。例えば、アップリンク−ダウンリンクスロット構成パラメータｔｄｄ−ＵＬ−ＤＬ−ＣｏｎｆｉｇｕｒａｔｉｏｎＤｅｄｉｃａｔｅｄが、Ｎ個の部分に拡張される。例えば、ｔｄｄ−ＵＬ−ＤＬ−ＣｏｎｆｉｇｕｒａｔｉｏｎＤｅｄｉｃａｔｅｄのパラメータは、それぞれ、２つのＴＲＰの構成に対応する、２つの部分、すなわち、ｔｄｄ−ＵＬ−ＤＬ−ＣｏｎｆｉｇｕｒａｔｉｏｎＤｅｄｉｃａｔｅｄおよびｔｄｄ−ＵＬ−ＤＬ−ＣｏｎｆｉｇｕｒａｔｉｏｎＤｅｄｉｃａｔｅｄ２に拡張される。
【００４４】
【化５−１】
2021533658.tif 000010
【化５−２】
2021533658.tif 000011
【００４５】
ｃｓｉ−ＭｅａｓＣｏｎｆｉｇ等のＣＣ内の他のパラメータもまた、拡張されてもよい、またはＣＣ内のいくつかの構成パラメータのサブパラメータもまた、拡張されてもよい。動作の容易性のために、ＣＣ内のＢＷＰ構成パラメータは、Ｎ個の部分に拡張されてもよい。複数のＢＷＰ（最大４つのアップリンクＢＷＰまたは４つのダウンリンクＢＷＰ）が、１つのＣＣ内に含まれてもよく、１つのＵＥのデータのみが、１つのＢＷＰ上で一度にスケジュールされることができる。ＢＷＰ構成をＮ個の部分に拡張するステップは、１つのＣＣ内において、最大でＮ個のＢＷＰが、一度にＵＥのデータスケジューリングのために使用され得ると理解され得る。Ｎ個のＢＷＰは、それぞれ、Ｎ個のＴＲＰのＢＷＰ構成に対応する。以下は、関連技術分野におけるＣＣ構成パラメータである。
【００４６】
【化６】
2021533658.tif 000012
【００４７】
ＢＷＰ構成を拡張後、ＢＷＰ構成の数は、増加し得る、例えば、ＢＷＰｓ  ｍａｘＮｒｏｆＢＷＰｓの最大数は、増加するであろうことに留意されたい。加えて、アクティブ化されるＢＷＰの数は、複数であってもよく、アクティブ化されるＢＷＰは、複数のＴＲＰのアクティブ化されるＢＷＰに対応する。例えば、ｆｉｒｓｔＡｃｔｉｖｅＤｏｗｎｌｉｎｋＢＷＰ−ＩｄまたはｄｅｆａｕｌｔＤｏｗｎｌｉｎｋＢＷＰ−Ｉｄは、下記に示されるように、複数のＢＷＰ−Ｉｄとなる。
【００４８】
【化７】
2021533658.tif 000013
【００４９】
本明細書の下線を伴うパラメータは、規格に基づいて変更されるパラメータであることに留意されたい。いくつかのパラメータをＮ個の部分に拡張するステップは、プロトコル設計を明確にする。しかしながら、マルチＴＲＰスケジューリングの間、スケジューリング限定が存在しない場合、Ｎ個のＴＲＰのスケジューリング信号は、特に、制御チャネル上に著しい干渉を引き起こす。
【００５０】
異なる時間周波数リソース上で複数のＴＲＰ伝送の制御チャネルを生じさせている、制御チャネルのリソース直交化を実装するために、ダウンリンクＰＤＣＣＨ構成（ｐｄｃｃｈ−Ｃｏｎｆｉｇ）内のＣＯＲＥＳＥＴ（ＣｏｎｔｒｏｌＲｅｓｏｕｒｃｅＳｅｔ）構成または検索空間構成が、Ｎ個の部分に分割される。同様に、アップリンクに関して、全てのＰＵＣＣＨリソースセットまたはＰＵＣＣＨ構成内のＰＵＣＣＨリソースが、Ｎ個の部分に分割される。
【００５１】
ステップＳ３０２では、拡張または分割されるパラメータの関連付け関係が、確立され、関連付け関係を伴う種々のパラメータは、同一パラメータグループに属する。
【００５２】
ＣＣまたはＢＷＰ内に含まれるいくつかの構成パラメータまたはＣＣまたはＢＷＰ内に含まれる構成パラメータのサブパラメータをＮ個の部分に拡張または分割後、異なるＣＣまたはＢＷＰのパラメータのＮ個の部分間の関係が、確立されない場合、アップリンク制御情報（ＵＣＩ）フィードバック問題が、引き起こされ得、その理由は、以下の通りである。
【００５３】
ＮＲのＡ／Ｎフィードバック機構に基づいて、１つのみのＰＵＣＣＨリソースが、１つのスロット内で確認応答（ＡＣＫ）／非確認応答（ＮＡＣＫ）をフィードバックするために使用され得る。図４に示されるように、基地局は、全体として、６つのＰＤＳＣＨをスロットｎ、スロット（ｎ＋１）、およびスロット（ｎ＋２）上にスケジュールする。複数のＰＤＳＣＨが、異なるＣＣ上で伝送され得るが、そのＡ／Ｎは、同一スロット（ｎ＋３）上でフィードバックされる必要がある。この場合、６つのＰＤＳＣＨのＡ／Ｎは、スロット（ｎ＋３）上の１つのＰＵＣＣＨリソース内でフィードバックされる。また、ダウンリンク割当インデックス（ＤＡＩ）計算は、ＣＣに跨り、かつスロットに跨る。
【００５４】
プロトコル３８．２１２に説明されるように、ＰＤＳＣＨがＡ／Ｎを同一スロット内でフィードバックするために、ＤＣＩ内で通知されるＤＡＩは、ＰＤＳＣＨのスケジューリング累積インデックスまたはＰＤＳＣＨの総数を示す。本インデックスは、ＣＣに跨り、かつスロットに跨る。図４に示されるように、スロットｎからスロット（ｎ＋２）までスケジュールされた６つのＰＤＳＣＨインデックスは、０から５となるはずであるが、ＤＡＩのインデックスが、２ビットのみを有するため、係数が、取り入れられる必要があり、したがって、スロット（ｎ＋２）上の２つのＰＤＳＣＨのＤＡＩ値は、それぞれ、ｍｏｄ（４，４）＝０およびｍｏｄ（５，４）＝１となるはずである。
【００５５】
マルチＴＲＰ伝送が、サポートされるとき、Ａ／Ｎを同一スロット内でフィードバックするＰＤＳＣＨは、異なるＴＲＰから生じ得る。異なるＴＲＰ間に動的相互作用が存在しないため、異なるＴＲＰによって伝送されるＤＣＩ内で搬送されるＤＡＩ値は、相互に独立し、ＤＣＩ内で搬送される同一ＴＲＰによって伝送されるＤＡＩ値は、図５に示されるように、順序通り累積される。
【００５６】
したがって、ＵＥは、ＤＡＩ累積計算が異なるＴＲＰ上で別個に実施され得るように、異なるＣＣまたはＢＷＰ上で伝送されるＰＤＳＣＨまたはＰＤＳＣＨをスケジュールするＰＤＣＣＨがどのＴＲＰから生じるかを把握する必要がある。換言すると、マルチＴＲＰスケジューリングを実装するために、ＣＣまたはＢＷＰ内に含まれるいくつかの構成パラメータまたは構成パラメータのサブパラメータをＮ個の部分に拡張または分割後、異なるＣＣまたはＢＷＰの拡張または分割されるパラメータ間の関連付け関係を確立することが必要である。
【００５７】
特に、拡張または分割されるパラメータ間の関連付け関係を確立するために、２つの以下の様式が存在する。
【００５８】
１）第１の様式：グループインデックスをＵＥのために構成されるパラメータに追加し、同一グループインデックスを伴うパラメータは、関連付け関係を有する。
【００５９】
さらに、異なるＣＣまたはＢＷＰ上の同一グループインデックスを伴うパラメータは、関連付け関係を有する。
【００６０】
随意に、グループインデックスは、ｇｒｏｕｐ＿ＩＤとして表されてもよく、ｇｒｏｕｐ＿ＩＤの値は、０からＮ−１に及ぶ。同一ｇｒｏｕｐ＿ＩＤを用いて構成される構成パラメータに対応する、制御チャネルまたはデータチャネルの伝送は、関連付け関係を有する。
【００６１】
さらに、拡張または分割されるパラメータ間の関連付け関係を確立後、本方法はさらに、下記のステップを含む。
【００６２】
ダウンリンク配分インデックス（ＤＡＩ）が、各パラメータグループに対応するように独立して示される。
【００６３】
本開示の実施形態では、ＤＡＩは、関連付け関係を有する、ＤＣＩおよびＰＤＳＣＨ内に示される。換言すると、１つのＤＣＩでは、ＤＡＩの総数の値は、ＤＣＩと対応または関連付け関係を有する、全てのＣＣ上のＰＤＳＣＨの数を示す。ＤＡＩ累積値はまた、対応または関連付け関係を有する、ＰＤＳＣＨの数の累積インデックスであって、本インデックスは、ＤＣＩと関連付け関係を有する、全てのＰＤＣＣＨまたはＰＤＳＣＨ内で累積される。換言すると、ＤＡＩのインジケーションは、その個別のセット内で独立して作用し、１つのセットは、全てのＣＣ上で関連付け関係を有する、ＰＤＳＣＨまたはＰＤＣＣＨを指す。図５に示されるように、スロット（ｎ＋３）上でＡ／Ｎをフィードバックする必要がある、全てのＣＣ上には、７つのＰＤＳＣＨが存在する。異なるｇｒｏｕｐ＿ＩＤに従って、ＰＤＳＣＨは、２つのセットに分割されてもよい。セット０内のＰＤＳＣＨ（実線正方形として表される）は、ＴＲＰ０によって伝送され、セット１内のＰＤＳＣＨ（破線正方形として表される）は、ＴＲＰ１によって伝送される。セット０では、４つのＰＤＳＣＨに対応する、ＤＣＩ内のＤＡＩの累積値は、それぞれ、０、１、２、および３であって、したがって、ＤＡＩの総数は、４（すなわち、４）であるはずであって、セット１では、３ＰＤＳＣＨに対応する、ＤＣＩ内のＤＡＩの累積値は、それぞれ、０、１、および２であって、ＤＡＩの総数は、３（すなわち、３）であるはずである。ＵＥは、セット内のＤＡＩ値に従って、検出漏れが存在するかどうかを決定する。したがって、異なるセット内のＤＡＩは、依存性関係を有していない。この場合、ｇｒｏｕｐ＿ＩＤは、ＰＤＣＣＨの構成パラメータまたはＰＤＳＣＨの構成パラメータ上に構成されてもよい。ｇｒｏｕｐ＿ＩＤが、ＰＤＣＣＨの構成パラメータ上に構成される場合、関連付け関係を有するＰＤＣＣＨによってスケジュールされるＰＤＳＣＨもまた、関連付けられた関係を有し、ｇｒｏｕｐ＿ＩＤが、ＰＤＳＣＨの構成パラメータ上に構成される場合、関連付け関係を有するＰＤＳＣＨをスケジュールする、ＰＤＣＣＨもまた、関連付け関係を有する。
【００６４】
加えて、ステップＳ３０１において構成パラメータを分割する効果は、構成されるｇｒｏｕｐ＿ＩＤによって達成されることができる。例えば、ダウンリンクＰＤＣＣＨ構成（ｐｄｃｃｈ−Ｃｏｎｆｉｇ）内のＣＯＲＥＳＥＴ（ＣｏｎｔｒｏｌＲｅｓｏｕｒｃｅＳｅｔ）構成または検索空間構成が、Ｎ個の部分に分割される。代替として、全てのＰＵＣＣＨリソースセットまたはＰＵＣＣＨ構成内のＰＵＣＣＨリソースが、Ｎ個の部分に分割される。例えば、ＵＥのために構成される複数のＣＯＲＥＳＥＴまたは異なる検索空間が、下記に示されるように、構成されるｇｒｏｕｐ＿ＩＤに従って、２つの部分に分割されてもよい。分割後、異なるＴＲＰは、異なる制御チャネルを使用し、したがって、複数のＴＲＰ制御チャネルの直交化が、達成される。
【００６５】
【化８】
2021533658.tif 000014
【００６６】
１つのｇｒｏｕｐ＿ＩＤの実施例が、下記に示されるように、ＰＤＳＣＨ−ＣｏｎｆｉｇまたはＰＤＣＣＨ−Ｃｏｎｆｉｇ内に構成される。
【化９−１】
2021533658.tif 000015
【化９−２】
2021533658.tif 000016
【００６７】
ＰＵＣＣＨのための構成は、下記に示される。
【化１０】
2021533658.tif 000017
【００６８】
同様に、異なるＣＣまたはＢＷＰも、Ｎ個の部分に分割されてもよい、すなわち、１つのｇｒｏｕｐ＿ＩＤが、ＣＣまたはＢＭＰ内に構成される。
【化１１−１】
2021533658.tif 000018
【化１１−２】
2021533658.tif 000019
【化１１−３】
2021533658.tif 000020
【００６９】
さらに、グループインデックスをＵＥのために構成されるパラメータに追加後、本方法はさらに、各パラメータグループのグループインデックスと上位層シグナリングによって構成されるスクランブリング識別子（ＩＤ）との間の対応を確立するステップを含む。
【００７０】
加えて、上位層シグナリングを通して構成される、スクランブリングＩＤは、セルＩＤに対応し、上位層シグナリングを通して構成される、スクランブリングＩＤは、復調基準信号のスクランブリングＩＤに対応する。
【００７１】
例えば、Ｎ＝２であって、上位層が、２つの復調基準信号（ＤＭＲＳ）のスクランブリングＩＤを構成する場合、ｇｒｏｕｐ＿ＩＤ＝０およびｇｒｏｕｐ＿ＩＤ＝１は、それぞれ、Ｎ＿ＩＤ＾０、Ｎ＿ＩＤ＾１∈｛０，１，…，  ６５５３５｝、またはそれぞれ、スクランブリングＩＤ０およびスクランブリングＩＤ１に対応し得る。これは、ＤＭＲＳのスクランブリングＩＤがまた、暗示的に、異なるセルＩＤに対応し得るためである。
【００７２】
本開示の実施形態では、異なる構成パラメータの関連付け関係は、グループインデックスに従って確立されてもよい、すなわち、同一グループインデックスを伴う構成パラメータは、関連付け関係を有する。関連付け関係を伴う異なる構成パラメータは、同一ＴＲＰのために使用されることを理解されたい。ＵＥが、Ｎ個のパラメータグループを取得後、制御チャネル（ＰＤＣＣＨ）構成パラメータによってスケジュールされるリソースの構成パラメータ（ＰＤＳＣＨ、ＰＵＳＣＨ、ＰＵＣＣＨ、ＳＲＳ等）が、制御チャネルパラメータと関連付けられる、データチャネル構成パラメータから導出される。例えば、１つのＤＣＩ内の時間ドメインリソース割当によって示される実際の値は、上位層パラメータｐｄｓｃｈ−ＡｌｌｏｃａｔｉｏｎＬｉｓｔに依存する。ＤＣＩが、ｇｒｏｕｐ＿ＩＤ０に対応する場合、ｐｄｓｃｈ−ＡｌｌｏｃａｔｉｏｎＬｉｓｔもまた、ｇｒｏｕｐ＿ＩＤ０に対応する必要がある。換言すると、ＤＣＩに対応するｐｄｃｃｈ−Ｃｏｎｆｉｇおよびｐｄｓｃｈ−ＡｌｌｏｃａｔｉｏｎＬｉｓｔに対応するｐｄｓｃｈ−Ｃｏｎｆｉｇ内に構成されるｇｒｏｕｐ＿ＩＤは、同一であるはずである。
【００７３】
２）第２の様式：ＢＷＰ＿ｉ内のｎ番目の構成パラメータｘは、ＢＷＰ＿ｊ内のｎ番目の構成パラメータｙと関連付け関係を有し、ｉ、ｊ、およびｎは全て、正の整数であって、１≦ｎ≦Ｎである。
【００７４】
ＢＷＰ＿ｉおよびＢＷＰ＿ｊは、同一ＣＣまたは異なるＣＣに属してもよく、構成パラメータｘおよび構成パラメータｙは、同一または異なる構成パラメータである。
【００７５】
また、ＣＣ＿ｉ内のｎ番目の構成パラメータｘは、ＣＣ＿ｊ内のｎ番目の構成パラメータｙと関連付け関係を有することになり得る。
【００７６】
ＣＣ＿ｊまたはＢＷＰ＿ｊ上にｎ番目の構成パラメータが存在しない場合、ＣＣ＿ｉまたはＢＷＰ＿ｉ上のｎ番目の構成パラメータは、ＣＣ＿ｊまたはＢＷＰ＿ｊ上の構成パラメータに対応しないことに留意されたい。
【００７７】
実施例が、下記に示される。
【００７８】
下記に示されるように、ＣＣ０上の第１の構成パラメータ（ｐｄｃｃｈ−Ｃｏｎｆｉｇおよびｐｄｓｃｈ−Ｃｏｎｆｉｇを含む）は、ＣＣ１およびＣＣ２上の第１の構成パラメータに対応し、ＣＣ０上の第２の構成パラメータ（ｐｄｃｃｈ−Ｃｏｎｆｉｇ２およびＰｄｓｃｈ−Ｃｏｎｆｉｇ２を含む）は、ＣＣ１上の第２の構成パラメータに対応する。拡張された第２の構成パラメータが、ＣＣ２上に存在しないため、ＣＣ０上の第２の構成パラメータは、ＣＣ２上の構成パラメータに対応しない。
【００７９】
同一ＢＷＰまたはＣＣ上の異なる構成パラメータに関して、拡張される構成パラメータの部分の数は、等しく、順序通りに対応すべきである。例えば、ｐｄｃｃｈ−Ｃｏｎｆｉｇは、ｐｄｓｃｈ−ｃｏｎｆｉｇに対応し、ｐｄｃｃｈ−ｃｏｎｆｉｇ２は、ｐｄｓｃｈ−ｃｏｎｆｉｇ２に対応する。
【００８０】
【化１２−１】
2021533658.tif 000021
【化１２−２】
2021533658.tif 000022
【００８１】
ステップＳ３０３では、パラメータグループの情報が、ＵＥに伝送される。
【００８２】
特に、本方法はさらに、異なるパラメータグループに対応する検索空間またはアップリンク伝送を異なる時間単位に配分するステップを含む。
【００８３】
時間単位は、スロットまたは時間ドメインシンボルである。アップリンク伝送は、アップリンク制御情報（ＵＣＩ）をフィードバックするために使用される。
【００８４】
随意に、アップリンク伝送は、ＰＵＣＣＨ、ＰＵＳＣＨ、およびＳＲＳのうちの１つ以上のものを指す。
【００８５】
複数のＴＲＰが、同一時間単位内においてアップリンクデータ伝送を１つのＵＥに配分し、動的相互作用がこれらのＴＲＰ間に存在しない場合、ＵＥは、全てのアップリンクデータを伝送するための十分な電力を有していない可能性が高い。したがって、ＴＲＰは、半静的交渉を実施し、次いで、異なる時間単位内において異なるＴＲＰによってスケジュールされるアップリンク伝送を配分してもよい。概して、アップリンク伝送は、ＰＵＳＣＨの伝送、ＰＵＣＣＨの伝送、およびＳＲＳの伝送等を含む。加えて、ダウンリンク制御チャネルに関して、異なる対応を伴う検索空間もまた、異なるＴＲＰからのＰＤＣＣＨが、時間ドメイン内で直交化され、それによって、ＰＤＣＣＨ間の干渉を回避するように、異なる時間単位内で伝送されてもよい。例えば、図６に示されるように、ＴＲＰ０は、スロット（ｎ＋３）を通して、ＵＣＩにフィードバックし、ＴＲＰ１は、スロット（ｎ＋４）を通して、ＵＣＩにフィードバックする。概して、ＵＣＩは、ＰＵＣＣＨ上で伝送され、したがって、関連付け関係を伴わないＰＵＣＣＨのみが異なる時間単位に配分されるというさらなる限定が存在し、本限定は、ＰＵＳＣＨおよびＳＲＳには適用不能である。
【００８６】
加えて、例えば、複数のアップリンク伝送リソースが１つの時間単位内に存在する場合、複数のＰＵＣＣＨリソースが、ＣＳＩまたはＡＣＫ／ＮＡＣＫ等を伝送するために使用される。ＵＥは、概して、これらの複数のアップリンク伝送リソースを組み合わせ、次いで、組み合わせられたアップリンク情報を複数のアップリンク伝送リソースのうちの１つ上で伝送する必要がある。複数のパラメータグループのアップリンク伝送に関して、１つの様式は、それぞれ、パラメータグループ内の複数のアップリンク伝送リソースの情報（ＰＵＳＣＨ、ＣＳＩ、ＡＣＫ／ＮＡＣＫ等に関するデータ）を組み合わせることである、すなわち、異なるパラメータグループのアップリンク伝送リソースは、組み合わせられることができない。次いで、その個別のグループ内において、組み合わせられたアップリンク情報は、グループ内で構成される複数のアップリンク伝送リソースのうちの１つ上で伝送される。随意に、より低い優先順位を伴うパラメータグループのアップリンク伝送リソースの情報は、優先順位の順序において破棄されてもよい。例えば、ｇｒｏｕｐ＿ＩＤが大きいほど、優先順位はより低くなる。例えば、ある時間単位内において、ＵＥは、ＰＵＣＣＨ０、ＰＵＳＣＨ０、ＰＵＣＣＨ１、およびＰＵＳＣＨ１を伝送する必要があり、ＰＵＣＣＨ０およびＰＵＳＣＨ０は、関連付け関係を有し、ＰＵＣＣＨ１およびＰＵＳＣＨ１は、関連付け関係を有し、ＰＵＣＣＨ０／ＰＵＳＣＨ０およびＰＵＣＣＨ１／ＰＵＳＣＨ１は、異なるパラメータグループに属する。組み合わせ後、ＰＵＣＣＨ０およびＰＵＳＣＨ０に関する情報は、ＰＵＳＣＨ０上で伝送され、ＰＵＣＣＨ１およびＰＵＳＣＨ１に関する情報は、ＰＵＳＣＨ１上で伝送される。随意に、優先順位ルールが、ＰＵＳＣＨ１を破棄するために定義されてもよい。これは、十分な電力が伝送のためにＰＵＳＣＨ０上に提供されることを確実にし得る。
【００８７】
さらに、ダウンリンクデータ伝送に関する電力限定が存在しないため、複数のＴＲＰによって伝送されるＰＤＳＣＨが、同一時間単位上に存在し得る。コードワード（ＣＷ）の数に関して、１つのＰＤＳＣＨのスケジューリングは、最大２つのＣＷをサポートする、すなわち、最大数のＣＷは、１または２であり得、これは、上位層シグナリングによって構成され得る。換言すると、ＵＥの能力は、１つのＢＷＰ内で最大２つのＣＷをサポートすることである。
【００８８】
複数のＴＰＲスケジューリングがサポートされる場合、ＵＥの複雑性を増加させないために、１つのＣＣまたは１つのＢＷＰ内において、異なるパラメータグループに対応する、ＰＤＳＣＨまたはＰＵＳＣＨが、時間ドメイン内で重複するとき、各ＰＤＳＣＨまたはＰＵＳＣＨ内のコードワードの数は、Ｍ個に限定される。一実施形態では、Ｍ＝１である。そのような限定は、ＵＥによって受信されるＣＷの総数を低減させ、それによって、ＵＥの複雑性を低減させる。異なるパラメータグループに対応する、ＰＵＳＣＨまたはＰＤＳＣＨが、時間ドメイン内で重複しない場合、各ＰＤＳＣＨ内のＣＷの数Ｍは、上位層シグナリングによって構成される。時間ドメイン内の重複は、同一スロットまたは同一時間ドメインシンボル上のものを指す。
【００８９】
さらに、１つのＣＣまたは１つのＢＷＰ内において、異なるパラメータグループに対応する、ＰＤＳＣＨ、ＰＵＳＣＨ、またはＰＤＣＣＨ内の１つ以上の以下の構成パラメータ、すなわち、ハイブリッド自動反復要求（ＨＡＲＱ）処理番号または復調基準信号ポートは、異なる。
【００９０】
複数のＴＲＰによってスケジュールされるＰＤＳＣＨが、主に、多入力多出力（ＭＩＭＯ）伝送のために使用される、時間ドメインおよび周波数ドメイン内で重複するとき、この場合、異なる関連付け関係を伴うＰＤＳＣＨのＤＭＲＳポートは、異なることが要求され、したがって、ＤＭＲＳは、直交することに留意されたい。この場合、ＴＲＰ間の著しい干渉が存在しない。換言すると、異なるパラメータグループのＰＤＳＣＨ／ＰＵＳＣＨが、時間ドメインおよび周波数ドメイン内で重複するとき、ＤＭＲＳポートは、異なる。重複が存在しない場合、ＤＭＲＳポートが異なるかどうかに関する限定が存在しない。異なるパラメータグループに対応する、ＰＤＳＣＨまたはＰＵＳＣＨのための復調基準信号ポートが、異なる場合、異なるパラメータグループに対応する、ＰＵＳＣＨまたはＰＤＳＣＨのための時間周波数ドメインリソースは、重複される。
【００９１】
加えて、ハイブリッド自動反復要求（ＨＡＲＱ）処理の複雑性を低減させるために、異なる関連付け関係を伴う対応するＰＤＣＣＨ、ＰＵＳＣＨ、またはＰＤＳＣＨのＨＡＲＱ処理番号は、異なると規定されてもよい。随意に、基地局は、上位層シグナリングを通して、ＨＡＲＱ処理番号をＮ個のセットに分割してもよく、異なる関連付け関係を有するＰＤＳＣＨまたはＰＤＣＣＨに対応する、ＨＡＲＱ処理番号の候補値は、異なる。
【００９２】
さらに、異なるパラメータグループ内の種々のパラメータは、異なる媒体アクセス制御（ＭＡＣ）制御要素に対応する。
【００９３】
本開示の第３の実施形態は、情報受信方法を提供する。図７に示されるように、本方法は、下記に説明されるステップを含む。
【００９４】
ステップＳ７０１では、ユーザ機器（ＵＥ）のために構成されるパラメータグループおよびＵＥのために構成されるパラメータ間の関連付け関係の情報が、受信され、関連付け関係を伴う種々のパラメータは、同一パラメータグループに属する。
【００９５】
ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰ内の構成パラメータまたは１つ以上のＢＷＰ内の構成パラメータのサブパラメータのうちの少なくとも１つを含む。
【００９６】
特に、ＵＥのために構成されるパラメータ間の関連付け関係を受信前に、本方法はさらに、伝送端によって、ＵＥのために構成される１つ以上のＢＷＰ内の構成パラメータまたはＵＥのために構成される１つ以上のＢＷＰ内の構成パラメータのサブパラメータをＮ個の部分に拡張または分割するステップを含む。
【００９７】
随意に、伝送端によって、ＵＥのために構成される１つ以上のＢＷＰ内の構成パラメータまたはＵＥのために構成される１つ以上のＢＷＰ内の構成パラメータのサブパラメータをＮ個の部分に拡張または分割するステップは、アップリンクＢＷＰおよび／またはダウンリンクＢＷＰ内の構成パラメータまたはアップリンクＢＷＰおよび／またはダウンリンクＢＷＰ内の構成パラメータのサブパラメータをＮ個の部分に拡張または分割するステップを含む。
【００９８】
アップリンクＢＷＰ内の構成パラメータは、物理アップリンク制御チャネル（ＰＵＣＣＨ）の構成パラメータ、物理アップリンク共有チャネル（ＰＵＳＣＨ）の構成パラメータ、またはチャネルサウンディング基準信号（ＳＲＳ）の構成パラメータのうちの少なくとも１つを含む。
【００９９】
ダウンリンクＢＷＰ内の構成パラメータは、物理ダウンリンク制御チャネル（ＰＤＣＣＨ）の構成パラメータまたは物理ダウンリンク共有チャネル（ＰＤＳＣＨ）の構成パラメータのうちの少なくとも１つを含む。
【０１００】
さらに、ＵＥのために構成されるパラメータ間の関連付け関係を受信するステップは、伝送端によって、グループインデックスをＵＥのために構成されるパラメータに追加するステップであって、同一グループインデックスを伴うパラメータは、関連付け関係を有する、ステップを含む。
【０１０１】
随意に、異なるＣＣまたはＢＷＰ上の同一グループインデックスを伴うパラメータは、関連付け関係を有する。
【０１０２】
随意に、ＵＥのために構成されるパラメータ間の関連付け関係を受信するステップはさらに、ＢＷＰ＿ｉ内のｎ番目の構成パラメータｘが、ＢＷＰ＿ｊ内のｎ番目の構成パラメータｙと関連付け関係を有するという事実を含み、ｉ、ｊ、およびｎは全て、正の整数であって、１≦ｎ≦Ｎである。
【０１０３】
ＢＷＰ＿ｉおよびＢＷＰ＿ｊは、同一ＣＣまたは異なるＣＣに属し、構成パラメータｘおよび構成パラメータｙは、同一または異なる構成パラメータである。
【０１０４】
異なるパラメータグループ内のパラメータは、異なるＴＲＰのデータ伝送のために使用されることに留意されたい。
【０１０５】
さらに、グループインデックスをＵＥのために構成されるパラメータに追加後、本方法はさらに、基地局によって、各パラメータグループのグループインデックスと上位層シグナリングによって構成されるスクランブリング識別子（ＩＤ）との間の対応を確立するステップを含む。
【０１０６】
上位層シグナリングを通して構成されるスクランブリングＩＤは、セルＩＤに対応する。
【０１０７】
上位層シグナリングを通して構成されるスクランブリングＩＤは、復調基準信号のスクランブリングＩＤに対応する。
【０１０８】
本方法はさらに、基地局によって、異なるパラメータグループに対応する検索空間またはアップリンク伝送を異なる時間単位に配分するステップを含む。
【０１０９】
時間単位は、スロットまたは時間ドメインシンボルである。
【０１１０】
アップリンク伝送は、アップリンク制御情報（ＵＣＩ）をフィードバックするために使用される。
【０１１１】
さらに、１つのＣＣまたは１つのＢＷＰ内において、異なるパラメータグループに対応する、ＰＤＳＣＨ、ＰＵＳＣＨ、またはＰＤＣＣＨ内の１つ以上の以下の構成パラメータ、すなわち、ハイブリッド自動反復要求（ＨＡＲＱ）処理番号または復調基準信号ポートは、異なる。
【０１１２】
異なるパラメータグループに対応する、ＰＤＳＣＨまたはＰＵＳＣＨのための復調基準信号ポートが、異なる場合、異なるパラメータグループに対応する、ＰＵＳＣＨまたはＰＤＳＣＨのための時間周波数ドメインリソースは、重複される。
【０１１３】
本方法はさらに、ＵＥによって、各パラメータグループに対応する、ダウンリンク配分インデックス（ＤＡＩ）を計算するステップを含む。
【０１１４】
さらに、１つのＣＣまたは１つのＢＷＰ内において、異なるパラメータグループに対応する、物理アップリンク共有チャネル（ＰＵＳＣＨ）または物理ダウンリンク共有チャネル（ＰＤＳＣＨ）が、時間ドメイン内で重複する場合、各ＰＤＳＣＨまたはＰＵＳＣＨ内のコードワード（ＣＷ）の数は、Ｍ個に限定される。
【０１１５】
好ましくは、Ｍ＝１である。
【０１１６】
異なるパラメータグループに対応する、ＰＵＳＣＨまたはＰＤＳＣＨが、時間ドメイン内で重複しない場合、各ＰＤＳＣＨ内のＣＷの数Ｍは、上位層シグナリングによって構成される。
【０１１７】
さらに、異なるパラメータグループ内の種々のパラメータは、異なる媒体アクセス制御（ＭＡＣ）制御要素に対応する。
【０１１８】
本開示の第４の実施形態は、情報伝送装置を提供する。図８に示されるように、装置は、以下のコンポーネント、すなわち、関連付けモジュール８０１と、伝送モジュール８０２とを含む。
【０１１９】
関連付けモジュール８０１は、ユーザ機器（ＵＥ）のために構成されるパラメータ間の関連付け関係を確立するために使用され、複数のパラメータは、同一パラメータグループに属する、関連付け関係を有する。
【０１２０】
ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰ内の構成パラメータまたは１つ以上のＢＷＰ内の構成パラメータのサブパラメータのうちの少なくとも１つを含む。
【０１２１】
伝送モジュール８０２は、パラメータグループの情報をＵＥに伝送するために使用される。
【０１２２】
具体的には、装置はさらに、拡張子モジュールを含み、これは、ＵＥのために構成されるパラメータ間の関連付け関係を確立する前に、ＵＥのために構成される１つ以上のＢＷＰ内の構成パラメータまたはＵＥのために構成される１つ以上のＢＷＰ内の構成パラメータのサブパラメータをＮ個の部分に拡張または分割するために使用される。
【０１２３】
随意に、拡張子モジュールは、特に、アップリンクＢＷＰおよび／またはダウンリンクＢＷＰ内の構成パラメータまたはアップリンクＢＷＰおよび／またはダウンリンクＢＷＰ内の構成パラメータのサブパラメータをＮ個の部分に拡張または分割するために使用される。
【０１２４】
アップリンクＢＷＰ内の構成パラメータは、物理アップリンク制御チャネル（ＰＵＣＣＨ）の構成パラメータ、物理アップリンク共有チャネル（ＰＵＳＣＨ）の構成パラメータ、またはチャネルサウンディング基準信号（ＳＲＳ）の構成パラメータのうちの少なくとも１つを含む。
【０１２５】
ダウンリンクＢＷＰ内の構成パラメータは、物理ダウンリンク制御チャネル（ＰＤＣＣＨ）の構成パラメータまたは物理ダウンリンク共有チャネル（ＰＤＳＣＨ）の構成パラメータのうちの少なくとも１つを含む。
【０１２６】
さらに、関連付けモジュール８０１は、特に、グループインデックスをＵＥのために構成されるパラメータに追加するために使用され、同一グループインデックスを伴うパラメータは、関連付け関係を有する。
【０１２７】
異なるＣＣまたはＢＷＰ上の同一グループインデックスを伴うパラメータは、関連付け関係を有する。
【０１２８】
随意に、関連付けモジュール８０１はさらに、ＢＷＰ＿ｉ内のｎ番目の構成パラメータｘが、ＢＷＰ＿ｊ内のｎ番目の構成パラメータｙと関連付け関係を有するという事実を構成するために使用され、ｉ、ｊ、およびｎは全て、正の整数であって、１≦ｎ≦Ｎである。
【０１２９】
ＢＷＰ＿ｉおよびＢＷＰ＿ｊは、同一ＣＣまたは異なるＣＣに属し、構成パラメータｘおよび構成パラメータｙは、同一または異なる構成パラメータである。
【０１３０】
異なるパラメータグループ内のパラメータは、異なるＴＲＰのデータ伝送のために使用されることに留意されたい。
【０１３１】
さらに、関連付けモジュール８０１はさらに、各パラメータグループのグループインデックスと上位層シグナリングによって構成されるスクランブリング識別子（ＩＤ）との間の対応を確立するために使用される。
【０１３２】
上位層シグナリングを通して構成されるスクランブリングＩＤは、セルＩＤに対応する、または上位層シグナリングを通して構成されるスクランブリングＩＤは、復調基準信号のスクランブリングＩＤに対応する。
【０１３３】
さらに、装置はさらに、配分モジュールを含み、これは、異なるパラメータグループに対応する検索空間またはアップリンク伝送を異なる時間単位に配分するために使用される。
【０１３４】
時間単位は、スロットまたは時間ドメインシンボルである。アップリンク伝送は、アップリンク制御情報（ＵＣＩ）をフィードバックするために使用される。
【０１３５】
さらに、１つのＣＣまたは１つのＢＷＰ内において、異なるパラメータグループに対応する、ＰＤＳＣＨ、ＰＵＳＣＨ、またはＰＤＣＣＨ内の１つ以上の以下の構成パラメータ、すなわち、ハイブリッド自動反復要求（ＨＡＲＱ）処理番号または復調基準信号ポートは、異なる。
【０１３６】
異なるパラメータグループに対応する、ＰＤＳＣＨまたはＰＵＳＣＨのための復調基準信号ポートが、異なる場合、異なるパラメータグループに対応する、ＰＵＳＣＨまたはＰＤＳＣＨのための時間周波数ドメインリソースは、重複される。
【０１３７】
さらに、装置はさらに、インジケーションモジュールを含み、これは、各パラメータグループに対応する、ダウンリンク配分インデックス（ＤＡＩ）を独立して示すために使用される。
【０１３８】
さらに、１つのＣＣまたは１つのＢＷＰ内において、異なるパラメータグループに対応する、物理アップリンク共有チャネル（ＰＵＳＣＨ）または物理ダウンリンク共有チャネル（ＰＤＳＣＨ）が、時間ドメイン内で重複する場合、各ＰＤＳＣＨまたはＰＵＳＣＨ内のコードワード（ＣＷ）の数は、Ｍ個に限定される。
【０１３９】
好ましくは、Ｍ＝１である。
【０１４０】
異なるパラメータグループに対応する、ＰＵＳＣＨまたはＰＤＳＣＨが、時間ドメイン内で重複しない場合、各ＰＤＳＣＨ内のＣＷの数Ｍは、上位層シグナリングによって構成される。
【０１４１】
さらに、異なるパラメータグループ内の種々のパラメータは、異なる媒体アクセス制御（ＭＡＣ）制御要素に対応する。
【０１４２】
本開示の第５の実施形態は、情報受信側装置を提供する。図９に示されるように、装置は、特に、受信モジュール９０１を含み、これは、ユーザ機器（ＵＥ）のために構成されるパラメータグループおよびＵＥのために構成されるパラメータ間の関連付け関係の情報を受信するために使用され、関連付け関係を伴う種々のパラメータは、同一パラメータグループに属する。
【０１４３】
ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰ内の構成パラメータまたは１つ以上のＢＷＰ内の構成パラメータのサブパラメータのうちの少なくとも１つを含む。
【０１４４】
特に、伝送端は、ＵＥのために構成される１つ以上のＢＷＰ内の構成パラメータまたはＵＥのために構成される１つ以上のＢＷＰ内の構成パラメータのサブパラメータをＮ個の部分に拡張または分割する。
【０１４５】
随意に、伝送端は、アップリンクＢＷＰおよび／またはダウンリンクＢＷＰ内の構成パラメータまたはアップリンクＢＷＰおよび／またはダウンリンクＢＷＰ内の構成パラメータのサブパラメータをＮ個の部分に拡張または分割する。
【０１４６】
アップリンクＢＷＰ内の構成パラメータは、物理アップリンク制御チャネル（ＰＵＣＣＨ）の構成パラメータ、物理アップリンク共有チャネル（ＰＵＳＣＨ）の構成パラメータ、またはチャネルサウンディング基準信号（ＳＲＳ）の構成パラメータのうちの少なくとも１つを含む。
【０１４７】
ダウンリンクＢＷＰ内の構成パラメータは、物理ダウンリンク制御チャネル（ＰＤＣＣＨ）の構成パラメータまたは物理ダウンリンク共有チャネル（ＰＤＳＣＨ）の構成パラメータのうちの少なくとも１つを含む。
【０１４８】
さらに、ＵＥのために構成されるパラメータ間の関連付け関係を受信するステップは、伝送端によって、グループインデックスをＵＥのために構成されるパラメータに追加するステップであって、同一グループインデックスを伴うパラメータは、関連付け関係を有する、ステップを含む。
【０１４９】
随意に、異なるＣＣまたはＢＷＰ上の同一グループインデックスを伴うパラメータは、関連付け関係を有する。
【０１５０】
随意に、ＵＥのために構成されるパラメータ間の関連付け関係を受信するステップはさらに、ＢＷＰ＿ｉ内のｎ番目の構成パラメータｘが、ＢＷＰ＿ｊ内のｎ番目の構成パラメータｙと関連付け関係を有するという事実を含み、ｉ、ｊ、およびｎは全て、正の整数であって、１≦ｎ≦Ｎである。
【０１５１】
ＢＷＰ＿ｉおよびＢＷＰ＿ｊは、同一ＣＣまたは異なるＣＣに属し、構成パラメータｘおよび構成パラメータｙは、同一または異なる構成パラメータである。
【０１５２】
異なるパラメータグループ内のパラメータは、異なるＴＲＰのデータ伝送のために使用されることに留意されたい。
【０１５３】
さらに、各パラメータグループのグループインデックスと上位層シグナリングによって構成されるスクランブリング識別子（ＩＤ）との間の対応は、基地局によって確立される。
【０１５４】
上位層シグナリングを通して構成されるスクランブリングＩＤは、セルＩＤに対応する、または上位層シグナリングを通して構成されるスクランブリングＩＤは、復調基準信号のスクランブリングＩＤに対応する。
【０１５５】
さらに、基地局は、異なるパラメータグループに対応する検索空間またはアップリンク伝送を異なる時間単位に配分する。
【０１５６】
随意に、時間単位は、スロットまたは時間ドメインシンボルである。アップリンク伝送は、アップリンク制御情報（ＵＣＩ）をフィードバックするために使用される。
【０１５７】
さらに、１つのＣＣまたは１つのＢＷＰ内において、異なるパラメータグループに対応する、ＰＤＳＣＨ、ＰＵＳＣＨ、またはＰＤＣＣＨ内の１つ以上の以下の構成パラメータ、すなわち、ハイブリッド自動反復要求（ＨＡＲＱ）処理番号または復調基準信号ポートは、異なる。
【０１５８】
異なるパラメータグループに対応する、ＰＤＳＣＨまたはＰＵＳＣＨのための復調基準信号ポートが、異なる場合、異なるパラメータグループに対応する、ＰＵＳＣＨまたはＰＤＳＣＨのための時間周波数ドメインリソースは、重複される。
【０１５９】
さらに、ＵＥは、各パラメータグループに対応する、ダウンリンク配分インデックス（ＤＡＩ）を計算する。
【０１６０】
さらに、１つのＣＣまたは１つのＢＷＰ内において、異なるパラメータグループに対応する、物理アップリンク共有チャネル（ＰＵＳＣＨ）または物理ダウンリンク共有チャネル（ＰＤＳＣＨ）が、時間ドメイン内で重複する場合、各ＰＤＳＣＨまたはＰＵＳＣＨ内のコードワード（ＣＷ）の数は、Ｍ個に限定される。
【０１６１】
随意に、Ｍ＝１である。
【０１６２】
異なるパラメータグループに対応する、ＰＵＳＣＨまたはＰＤＳＣＨが、時間ドメイン内で重複しない場合、各ＰＤＳＣＨ内のＣＷの数Ｍは、上位層シグナリングによって構成される。
【０１６３】
さらに、異なるパラメータグループ内の種々のパラメータは、異なる媒体アクセス制御（ＭＡＣ）制御要素に対応する。
【０１６４】
本開示の第６の実施形態は、情報伝送デバイスを提供する。図１０に示されるように、デバイスは、プロセッサ１００１と、メモリ１００２と、通信バスとを含む。
【０１６５】
通信バスは、プロセッサ１００１とメモリ１００２との間の接続通信を実装するように構成される。
【０１６６】
プロセッサ１００１は、メモリ１００２内に記憶される情報伝送プログラムを実行し、以下のステップ、すなわち、ユーザ機器（ＵＥ）のために構成されるパラメータ間の関連付け関係を確立するステップであって、関連付け関係を伴う種々のパラメータは、同一パラメータグループに属し、ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰの構成パラメータまたは１つ以上のＢＷＰの構成パラメータのサブパラメータのうちの少なくとも１つを含む、ステップと、パラメータグループの情報をＵＥに伝送するステップとを実装するように構成される。
【０１６７】
本開示の第７の実施形態は、情報受信側デバイスを提供する。図１０に示されるように、デバイスは、プロセッサ１００１と、メモリ１００２と、通信バスとを含む。通信バスは、プロセッサ１００１とメモリ１００２との間の接続通信を実装するように構成される。プロセッサ１００１は、メモリ１００２内に記憶される情報受信プログラムを実行し、以下のステップ、すなわち、ユーザ機器（ＵＥ）のために構成されるパラメータグループおよびＵＥのために構成されるパラメータ間の関連付け関係の情報を受信するステップであって、関連付け関係を伴う種々のパラメータは、同一パラメータグループに属し、ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰの構成パラメータまたは１つ以上のＢＷＰの構成パラメータのサブパラメータのうちの少なくとも１つを含む、ステップを実装するように構成される。
【０１６８】
本開示の第８の実施形態は、情報伝送プログラムとともに記憶される、コンピュータ可読記憶媒体を提供し、情報伝送プログラムが、少なくとも１つのプロセッサによって実行される場合、少なくとも１つのプロセッサは、以下のステップ、すなわち、ユーザ機器（ＵＥ）のために構成されるパラメータ間の関連付け関係を確立するステップであって、関連付け関係を伴う種々のパラメータは、同一パラメータグループに属し、ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰの構成パラメータまたは１つ以上のＢＷＰの構成パラメータのサブパラメータのうちの少なくとも１つを含む、ステップと、パラメータグループの情報をＵＥに伝送するステップを実行させられる。
【０１６９】
本開示の第９の実施形態は、情報受信プログラムとともに記憶される、コンピュータ可読記憶媒体を提供し、情報受信プログラムが、少なくとも１つのプロセッサによって実行される場合、少なくとも１つのプロセッサは、以下のステップ、すなわち、ユーザ機器（ＵＥ）のために構成されるパラメータグループおよびＵＥのために構成されるパラメータ間の関連付け関係の情報を受信するステップであって、関連付け関係を伴う種々のパラメータは、同一パラメータグループに属し、ＵＥのために構成されるパラメータは、複数のコンポーネントキャリア（ＣＣ）、複数の帯域幅部分（ＢＷＰ）、１つ以上のＣＣ内の構成パラメータまたは１つ以上のＣＣ内の構成パラメータのサブパラメータ、または１つ以上のＢＷＰの構成パラメータまたは１つ以上のＢＷＰの構成パラメータのサブパラメータのうちの少なくとも１つを含む、ステップを実行させられる。
【０１７０】
本開示の第１０の実施形態は、マルチポイント伝送方法を提供する。本方法は、特に、１つの帯域幅部分（ＢＷＰ）またはコンポーネントキャリア（ＣＣ）内の複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）が同一伝送ブロック（ＴＢ）を有するように構成するステップを含む。
【０１７１】
特に、同一スロットまたは複数の隣接するスロット内では、各ＤＣＩ内のＨＡＲＱ処理番号の値は、同一である。
【０１７２】
各ＤＣＩ内の冗長バージョン（ＲＶ）は、異なる。
【０１７３】
さらに、ユーザ機器（ＵＥ）は、複数のＰＤＳＣＨのためにＡ／Ｎをフィードバックする。
【０１７４】
フィードバックされるＡ／Ｎは、論理「ＯＲ」を複数のＰＤＳＣＨに対応するＡ／Ｎ値に実施することによって取得される。
【０１７５】
本開示の実施形態は、理想的バックホールが複数のＴＲＰ間に存在する場合、複数のＤＣＩがＰＤＳＣＨを別個にスケジュールするために使用される様式に適用可能である。１つのＢＷＰまたはＣＣ内では、ダウンリンクデータの伝送正確度を増加させるために、複数のＴＲＰによってスケジュールされるＰＤＳＣＨは、反復ＴＢであってもよい。この場合、複数のＤＣＩ内で搬送されるＨＡＲＱ処理番号は、ＵＥが複数のＤＣＩによって搬送されるＴＢが同一であることに気付き得るように、（同一スロットまたはいくつかの隣接するスロット内で）同一値であるように構成されてもよい。デコーディング正確度をさらに増加させるために、複数のＤＣＩ内で構成される冗長バージョン（ＲＶ）は、異なるべきであって、ＵＥは、データを復調するとき、複数のＴＲＰによって伝送されるＰＤＳＣＨを組み合わせてもよい。独立ＤＣＩを通してＴＲＰによってスケジュールされる複数のＰＤＳＣＨは、同一ＴＢに対応するため、ＵＥは、これらのＰＤＳＣＨのために１つのＡ／Ｎのみをフィードバックする必要がある。代替として、複数のＰＤＳＣＨが、論理「ＯＲ」演算をフィードバックされるＡＣＫ／ＮＡＣＫに実施し、Ａ／Ｎビットを形成する必要があるように、複数のＰＤＳＣＨ内の１つの復調対が正しく復調される限り、ＡＣＫをフィードバックしてもよい。例えば、ＴＲＰ０によって伝送されるＰＤＳＣＨが、ＵＥによって正しく検出される場合、ＡＣＫ（１によって表される）であって、ＴＲＰ１によって伝送されるＰＤＳＣＨが、ＵＥによって正しくなく検出される場合、ＮＡＣＫ（０によって表される）であって、ＵＥは、フィードバックの間、「ＯＲ」演算をＡＣＫおよびＮＡＣＫに実施する、すなわち、１または０＝１、すなわち、ＡＣＫである。したがって、ＵＥは、１ビットＡＣＫのみをフィードバックする必要がある。
【０１７６】
異なるＢＷＰまたはＣＣでは、ダウンリンクデータの伝送正確度を増加させるために、複数のＤＣＩによってスケジュールされるＰＤＳＣＨは、反復ＴＢであってもよい。この場合、付加的シグナリングまたはルールが、ユーザに、異なるＢＷＰ／ＣＣ内のＤＣＩによってスケジュールされるＰＤＳＣＨが同一ＴＢであることを知らせるために必要とされ、次いで、ＵＥは、検出の間、冗長バージョン組み合わせ実施する、またはＡＣＫ／ＮＡＣＫフィードバック組み合わせを実施してもよい。
【０１７７】
随意に、同一ＢＷＰ／ＣＣ内（および同一スロットまたはいくつかの隣接するスロット内）では、異なる対応関係（すなわち、異なるＴＲＰからのもの）を伴うＰＤＣＣＨまたはＰＤＳＣＨによってスケジュールされるＴＢは、同一ＴＢであることに留意されたい。そのような方法はまた、単一ＴＲＰが複数のＤＣＩを伝送する、シナリオに適用されてもよい。要するに、複数のＤＣＩによってスケジュールされるＰＤＳＣＨは、同一ＴＢに対応し、ＵＥは、これらのＰＤＳＣＨのために１つのＡ／Ｎのみをフィードバックする必要がある。さらに、「ＯＲ」演算が、これらのＡ／Ｎに実施される。
【０１７８】
随意に、基地局は、１つのＤＣＩを使用して、２つのＴＢ、すなわち、２つのＣＷに対応するものをスケジュールしてもよく、２つのＴＢは、同一ＴＢである。ＤＣＩは、２つのＴＢのために異なるＲＶを構成してもよいため、これは、冗長バージョンの組み合わせられた利得をもたらし、それによって、ダウンリンクデータの伝送正確度を増加させるであろう。
【０１７９】
要するに、上記の方法は、初期伝送において、同一ＴＢを複数回伝送し、伝送正確度を増加させ、再伝送を回避し、それによって、伝送待ち時間を低減させる。
【０１８０】
本開示の第１１の実施形態は、マルチポイント伝送装置を提供し、装置は、１つの帯域幅部分（ＢＷＰ）またはキャリア（ＣＣ）内で複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）が、同一伝送ブロック（ＴＢ）を有するように構成するために使用される。
【０１８１】
特に、同一スロットまたは複数の隣接するスロット内では、各ＤＣＩ内のＨＡＲＱ処理番号の値は、同一である。
【０１８２】
各ＤＣＩ内の冗長バージョン（ＲＶ）は、異なる。
【０１８３】
さらに、ユーザ機器（ＵＥ）は、複数のＰＤＳＣＨのためにＡ／Ｎをフィードバックする。
【０１８４】
フィードバックされるＡ／Ｎは、論理「ＯＲ」を複数のＰＤＳＣＨに対応するＡ／Ｎ値に実施することによって取得される。
【０１８５】
本開示の第１２の実施形態は、マルチポイント伝送デバイスを提供し、デバイスは、プロセッサと、メモリと、通信バスとを含む。通信バスは、プロセッサとメモリとの間の接続通信を実装するように構成される。プロセッサは、メモリ内に記憶されるマルチポイント伝送プログラムを実行し、以下のステップ、すなわち、１つの帯域幅部分（ＢＷＰ）またはコンポーネントキャリア（ＣＣ）内の複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）が、同一伝送ブロック（ＴＢ）を有するように構成するステップを実装するように構成される。
【０１８６】
本開示の第１３の実施形態は、マルチポイント伝送プログラムとともに記憶される、コンピュータ可読記憶媒体を提供し、これは、少なくとも１つのプロセッサによって実行されると、少なくとも１つのプロセッサに、以下のステップ、すなわち、１つの帯域幅部分（ＢＷＰ）またはコンポーネントキャリア（ＣＣ）内の複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）が、同一伝送ブロック（ＴＢ）を有するように構成するステップを実施させる。
【０１８７】
当業者によって、上記に説明される方法におけるステップの全部または一部は、プログラムによって命令される関連ハードウェアによって実装されてもよく、プログラムは、読取専用メモリ、磁気ディスク、または光ディスク等のコンピュータ可読記憶媒体内に記憶されてもよいことが理解されるであろう。随意に、上記に説明される実施形態におけるステップの全部または一部はまた、１つ以上の集積回路によって実装されてもよい。対応して、上記の実施形態における各モジュール／ユニットは、ハードウェアまたはソフトウェア機能モジュールによって実装されてもよい。本願は、ハードウェアおよびソフトウェアの任意の具体的組み合わせに限定されない。
【０１８８】
本願は、他の種々の実施形態を有してもよい。対応する変更および修正は、本願の精神および本質から逸脱することなく、本願に従って、当業者によって行われてもよい。しかしながら、これらの対応する変更および修正は、本願における請求項の範囲内に該当する。
【図１】
2021533658.tif 000023
【図２】
2021533658.tif 000024
【図３】
2021533658.tif 000025
【図４】
2021533658.tif 000026
【図５】
2021533658.tif 000027
【図６】
2021533658.tif 000028
【図７】
2021533658.tif 000029
【図８】
2021533658.tif 000030
【図９】
2021533658.tif 000031
【図１０】
2021533658.tif 000032
【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
情報伝送方法であって、
ユーザ機器（ＵＥ）のために構成されるパラメータ間の関連付け関係を確立するステップであって、前記関連付け関係に基づく複数のパラメータは、同一パラメータグループに属し、
１つの帯域幅部分（ＢＷＰ）内で、物理ダウンリンク共有チャネル（ＰＤＳＣＨ）に対する復調信号ポートは、異なるパラメータグループに対して異なり、前記パラメータは、物理ダウンリンク制御チャネル（ＰＤＣＣＨ）の構成パラメータを含み、前記ＰＤＣＣＨの構成パラメータは、制御リソースセットを含み、前記異なるパラメータグループに対応する前記ＰＤＳＣＨに対する時間周波数ドメインリソースは、互いに重複する、ステップと、
前記パラメータグループの情報を前記ＵＥに伝送するステップと
を含む、方法。
【請求項２】
各パラメータグループに対応するダウンリンク配分インデックスを独立して示すことをさらに含む、請求項１に記載の方法。
【請求項３】
前記関連付け関係を確立するステップは、グループインデックスを同一パラメータグループに属するパラメータに追加することをさらに含む、請求項１に記載の方法。
【請求項４】
異なるパラメータグループ内のパラメータは、異なる媒体アクセス制御（ＭＡＣ）制御要素に対応する、請求項１に記載の方法。
【請求項５】
情報受信方法であって、
ユーザ機器（ＵＥ）のために構成されるパラメータグループおよび前記ＵＥのために構成されるパラメータ間の関連付け関係の情報を受信するステップであって、
前記関連付け関係に基づく複数のパラメータは、同一パラメータグループに属し、
１つの帯域幅部分（ＢＷＰ）内で、物理ダウンリンク共有チャネル（ＰＤＳＣＨ）に対する復調信号ポートは、異なるパラメータグループに対して異なり、前記パラメータは、物理ダウンリンク制御チャネル（ＰＤＣＣＨ）の構成パラメータを含み、前記ＰＤＣＣＨの構成パラメータは、制御リソースセットを含み、
前記異なるパラメータグループに対応する前記ＰＤＳＣＨに対する時間周波数ドメインリソースは、互いに重複する、ステップ
を含む、方法。
【請求項６】
それぞれ、各パラメータグループに対応するダウンリンク配分インデックスを決定することをさらに含む、請求項５に記載の方法。
【請求項７】
同一パラメータグループに属する前記パラメータは、あるグループインデックスに対応する、請求項５に記載の方法。
【請求項８】
異なるパラメータグループ内のパラメータは、異なる媒体アクセス制御（ＭＡＣ）制御要素に対応する、請求項５に記載の方法。
【請求項９】
情報伝送デバイスであって、
プロセッサと、
プロセッサ実行可能プログラムを含むメモリであって、前記プロセッサ実行可能プログラムは、前記プロセッサによって実行されると、
ユーザ機器（ＵＥ）のために構成されるパラメータ間の関連付け関係を確立するステップであって、前記関連付け関係に基づく複数のパラメータは、同一パラメータグループに属し、
１つの帯域幅部分（ＢＷＰ）内で、物理ダウンリンク共有チャネル（ＰＤＳＣＨ）に対する復調信号ポートは、異なるパラメータグループに対して異なり、前記パラメータは、物理ダウンリンク制御チャネル（ＰＤＣＣＨ）の構成パラメータを含み、前記ＰＤＣＣＨの構成パラメータは、制御リソースセットを含み、前記異なるパラメータグループに対応する前記ＰＤＳＣＨに対する時間周波数ドメインリソースは、互いに重複する、ステップと、
前記パラメータグループの情報を前記ＵＥに伝送するステップと
を行うように前記プロセッサを構成する、メモリと
を備える、情報伝送デバイス。
【請求項１０】
前記プロセッサ実行可能プログラムは、前記プロセッサによって実行されると、各パラメータグループに対応するダウンリンク配分インデックスを独立して示すように前記プロセッサを構成する、請求項９に記載の情報伝送デバイス。
【請求項１１】
前記プロセッサ実行可能プログラムは、前記プロセッサによって実行されると、グループインデックスを同一パラメータグループに属するパラメータに追加するように前記プロセッサを構成する、請求項９に記載の情報伝送デバイス。
【請求項１２】
異なるパラメータグループ内のパラメータは、異なる媒体アクセス制御（ＭＡＣ）制御要素に対応する、請求項９に記載の情報伝送デバイス。
【請求項１３】
情報受信デバイスであって、
プロセッサと、
プロセッサ実行可能プログラムを含むメモリであって、前記プロセッサ実行可能プログラムは、前記プロセッサによって実行されると、
ユーザ機器（ＵＥ）のために構成されるパラメータグループおよび前記ＵＥのために構成されるパラメータ間の関連付け関係の情報を受信するステップであって、
前記関連付け関係に基づく複数のパラメータは、同一パラメータグループに属し、
１つの帯域幅部分（ＢＷＰ）内で、物理ダウンリンク共有チャネル（ＰＤＳＣＨ）に対する復調信号ポートは、異なるパラメータグループに対して異なり、前記パラメータは、物理ダウンリンク制御チャネル（ＰＤＣＣＨ）の構成パラメータを含み、前記ＰＤＣＣＨの構成パラメータは、制御リソースセットを含み、
前記異なるパラメータグループに対応する前記ＰＤＳＣＨに対する時間周波数ドメインリソースは、互いに重複する、ステップ
を行うように前記プロセッサを構成する、メモリと
を備える、情報受信デバイス。
【請求項１４】
前記プロセッサ実行可能プログラムは、前記プロセッサによって実行されると、それぞれ、各パラメータグループに対応するダウンリンク配分インデックス（ＤＡＩ）を決定するように前記プロセッサを構成する、請求項１３に記載の情報受信デバイス。
【請求項１５】
同一パラメータグループに属する前記パラメータは、あるグループインデックスに対応する、請求項１３に記載の情報受信デバイス。
【請求項１６】
異なるパラメータグループ内のパラメータは、異なる媒体アクセス制御（ＭＡＣ）制御要素に対応する、請求項１３に記載の情報受信デバイス。
【手続補正２】
【補正対象書類名】明細書
【補正対象項目名】００１４
【補正方法】変更
【補正の内容】
【００１４】
本願は、情報伝送／受信方法、装置、デバイス、および可読記憶媒体を提供する。複数のＴＲＰが理想的バックホールを有していない、シナリオに関して、新しいシグナリング設計が、複数のダウンリンク制御情報（ＤＣＩ）スケジューリングをサポートするために提案される。
（項目１）
情報伝送方法であって、
ユーザ機器（ＵＥ）のために構成されるパラメータ間の関連付け関係を確立することであって、上記関連付け関係を伴う複数のパラメータは、同一パラメータグループに属し、
上記ＵＥのために構成されるパラメータは、複数のコンポーネントキャリア（ＣＣ）、複数の帯域幅部分（ＢＷＰ）、少なくとも１つのＣＣ内の構成パラメータまたは上記少なくとも１つのＣＣ内の上記構成パラメータのサブパラメータ、または少なくとも１つのＢＷＰ内の構成パラメータまたは少なくとも１つのＢＷＰ内の上記構成パラメータのサブパラメータのうちの少なくとも１つを含む、ことと、
上記パラメータグループの情報を上記ＵＥに伝送することと
を含む、方法。
（項目２）
上記ＵＥのために構成されるパラメータ間の上記関連付け関係を確立する前に、
上記ＵＥのために構成される上記少なくとも１つのＢＷＰ内の上記構成パラメータまたは上記少なくとも１つのＢＷＰ内の上記構成パラメータのサブパラメータをＮ個の部分に拡張または分割することであって、Ｎは、整数である、こと
をさらに含む、項目１に記載の方法。
（項目３）
上記ＵＥのために構成される上記少なくとも１つのＢＷＰ内の上記構成パラメータまたは上記少なくとも１つのＢＷＰ内の上記構成パラメータのサブパラメータをＮ個の部分に拡張または分割することは、
上記ＵＥのために構成されるアップリンクＢＷＰ内の構成パラメータまたはダウンリンクＢＷＰ内の構成パラメータのうちの少なくとも１つ、または上記アップリンクＢＷＰ内の上記構成パラメータのサブパラメータまたは上記ダウンリンクＢＷＰ内の上記構成パラメータのサブパラメータのうちの少なくとも１つをＮ個の部分に拡張または分割すること
を含み、
上記アップリンクＢＷＰ内の上記構成パラメータは、物理アップリンク制御チャネル（ＰＵＣＣＨ）の構成パラメータ、物理アップリンク共有チャネル（ＰＵＳＣＨ）の構成パラメータ、またはチャネルサウンディング基準信号（ＳＲＳ）の構成パラメータのうちの少なくとも１つを含み、
上記ダウンリンクＢＷＰ内の上記構成パラメータは、物理ダウンリンク制御チャネル（ＰＤＣＣＨ）の構成パラメータまたは物理ダウンリンク共有チャネル（ＰＤＳＣＨ）の構成パラメータのうちの少なくとも１つを含む、
項目２に記載の方法。
（項目４）
上記ユーザ機器（ＵＥ）のために構成されるパラメータ間の上記関連付け関係を確立することは、
グループインデックスを上記ＵＥのために構成されるパラメータに追加することであって、同一グループインデックスを伴うパラメータは、上記関連付け関係を有する、こと
を含む、項目１に記載の方法。
（項目５）
異なるＣＣまたは異なるＢＷＰ上の同一グループインデックスを伴うパラメータは、上記関連付け関係を有する、項目４に記載の方法。
（項目６）
上記ＰＤＣＣＨの構成パラメータは、制御リソースセットを備え、
上記ＵＥのために構成される上記ダウンリンクＢＷＰ内の上記構成パラメータのサブパラメータをＮ個の部分に分割することは、構成されるグループインデックスに従って、上記制御リソースセットをＮ個の部分に分割することを含む、項目３に記載の方法。
（項目７）
異なるパラメータグループ内のパラメータは、異なる送受信ポイント（ＴＲＰ）のデータ伝送のために使用される、項目１−６のいずれか１項に記載の方法。
（項目８）
上記グループインデックスを上記ＵＥのために構成されるパラメータに追加後、
上記パラメータグループのグループインデックスと上位層シグナリングによって構成されるスクランブリング識別子（ＩＤ）との間の対応を確立すること
をさらに含む、項目４に記載の方法。
（項目９）
上記上位層シグナリングによって構成されるスクランブリングＩＤは、セル識別子（ＩＤ）に対応する、または上記上位層シグナリングによって構成されるスクランブリングＩＤは、復調基準信号のスクランブリングＩＤに対応する、項目８に記載の方法。
（項目１０）
異なるパラメータグループに対応する検索空間またはアップリンク伝送を異なる時間単位に配分することをさらに含む、項目１に記載の方法。
（項目１１）
上記時間単位は、スロットまたは時間ドメインシンボルである、項目１０に記載の方法。
（項目１２）
上記アップリンク伝送は、アップリンク制御情報（ＵＣＩ）をフィードバックするために使用される、項目１０に記載の方法。
（項目１３）
１つのＣＣまたは１つのＢＷＰ内において、異なるパラメータグループに対応する上記ＰＤＳＣＨ、上記ＰＵＳＣＨ、または上記ＰＤＣＣＨ内の以下の構成パラメータ、すなわち、
ハイブリッド自動反復要求（ＨＡＲＱ）処理番号または復調基準信号ポート
のうちの少なくとも１つは、異なる、項目１に記載の方法。
（項目１４）
異なるパラメータグループに対応する上記ＰＤＳＣＨまたはＰＵＳＣＨ内の復調基準信号ポートが、異なる場合、上記異なるパラメータグループに対応する上記ＰＵＳＣＨまたは上記ＰＤＳＣＨ内の時間周波数ドメインリソースは、重複される、項目１３に記載の方法。
（項目１５）
各パラメータグループ内のダウンリンク配分インデックス（ＤＡＩ）を独立して示すことをさらに含む、項目１に記載の方法。
（項目１６）
１つのＣＣまたは１つのＢＷＰ内において、異なるパラメータグループに対応する物理アップリンク共有チャネル（ＰＵＳＣＨ）または物理ダウンリンク共有チャネル（ＰＤＳＣＨ）が、時間ドメイン内で重複する場合、各ＰＤＳＣＨまたはＰＵＳＣＨ内のコードワード（ＣＷ）の数は、Ｍ個に限定され、Ｍは、１以上の整数である、項目１に記載の方法。
（項目１７）
異なるパラメータグループに対応する上記ＰＵＳＣＨまたは上記ＰＤＳＣＨが、上記時間ドメイン内で重複しない場合、各ＰＤＳＣＨ内のＣＷの数Ｍは、上位層シグナリングによって構成される、項目１６に記載の方法。
（項目１８）
異なるパラメータグループ内の上記複数のパラメータは、異なる媒体アクセス制御（ＭＡＣ）制御要素に対応する、項目１に記載の方法。
（項目１９）
情報受信方法であって、
ユーザ機器（ＵＥ）のために構成されるパラメータグループおよび上記ＵＥのために構成されるパラメータ間の関連付け関係の情報を受信することであって、上記関連付け関係を伴う複数のパラメータは、同一パラメータグループに属する、こと
を含み、
上記ＵＥのために構成されるパラメータは、複数のコンポーネントキャリア（ＣＣ）、複数の帯域幅部分（ＢＷＰ）、少なくとも１つのＣＣ内の構成パラメータまたは上記少なくとも１つのＣＣ内の上記構成パラメータのサブパラメータ、または少なくとも１つのＢＷＰ内の構成パラメータまたは少なくとも１つのＢＷＰ内の上記構成パラメータのサブパラメータのうちの少なくとも１つを含む、方法。
（項目２０）
上記ＵＥのために構成されるパラメータ間の上記関連付け関係を受信する前に、
伝送端によって、上記ＵＥのために構成される上記少なくとも１つのＢＷＰ内の上記構成パラメータまたは上記少なくとも１つのＢＷＰ内の上記構成パラメータのサブパラメータをＮ個の部分に拡張または分割することであって、Ｎは、整数である、こと
をさらに含む、項目１９に記載の方法。
（項目２１）
上記伝送端によって、上記ＵＥのために構成される上記少なくとも１つのＢＷＰ内の上記構成パラメータまたは上記少なくとも１つのＢＷＰ内の上記構成パラメータのサブパラメータをＮ個の部分に拡張または分割することは、
上記伝送端によって、アップリンクＢＷＰ内の構成パラメータまたはダウンリンクＢＷＰ内の構成パラメータのうちの少なくとも１つ、または上記アップリンクＢＷＰ内の上記構成パラメータのサブパラメータまたは上記ダウンリンクＢＷＰ内の上記構成パラメータのサブパラメータのうちの少なくとも１つをＮ個の部分に拡張または分割すること
を含み、
上記アップリンクＢＷＰ内の上記構成パラメータは、物理アップリンク制御チャネル（ＰＵＣＣＨ）の構成パラメータ、物理アップリンク共有チャネル（ＰＵＳＣＨ）の構成パラメータ、またはチャネルサウンディング基準信号（ＳＲＳ）の構成パラメータのうちの少なくとも１つを含み、
上記ダウンリンクＢＷＰ内の上記構成パラメータは、物理ダウンリンク制御チャネル（ＰＤＣＣＨ）の構成パラメータまたは物理ダウンリンク共有チャネル（ＰＤＳＣＨ）の構成パラメータのうちの少なくとも１つを含む、
項目２０に記載の方法。
（項目２２）
上記ＵＥのために構成されるパラメータ間の上記関連付け関係を受信することは、
伝送端によって、グループインデックスを上記ＵＥのために構成されるパラメータに追加することであって、同一グループインデックスを伴うパラメータは、上記関連付け関係を有する、こと
を含む、項目１９に記載の方法。
（項目２３）
異なるＣＣまたは異なるＢＷＰ上の同一グループインデックスを伴うパラメータは、上記関連付け関係を有する、項目２２に記載の方法。
（項目２４）
上記ＰＤＣＣＨの構成パラメータは、制御リソースセットを備え、
上記伝送端によって、上記ＵＥのために構成される上記ダウンリンクＢＷＰ内の上記構成パラメータのサブパラメータをＮ個の部分に分割することは、上記伝送端によって構成される上記グループインデックスに従って、上記制御リソースセットをＮ個の部分に分割することを含む、項目２１に記載の方法。
（項目２５）
異なるパラメータグループ内のパラメータは、異なる送受信ポイント（ＴＲＰ）のデータ伝送のために使用される、項目１９−２４のいずれか１項に記載の方法。
（項目２６）
上記伝送端によって、上記グループインデックスを上記ＵＥのために構成されるパラメータに追加後、
上記伝送端によって、上記パラメータグループのグループインデックスと上位層シグナリングによって構成されるスクランブリング識別子（ＩＤ）との間の対応を確立すること
をさらに含む、項目２２に記載の方法。
（項目２７）
上記上位層シグナリングによって構成されるスクランブリングＩＤは、セル識別子（ＩＤ）に対応する、または上記上位層シグナリングによって構成される上記スクランブリングＩＤは、復調基準信号のスクランブリングＩＤに対応する、項目２６に記載の方法。
（項目２８）
伝送端によって、異なるパラメータグループに対応する検索空間またはアップリンク伝送を異なる時間単位に配分することをさらに含む、項目１９に記載の方法。
（項目２９）
上記時間単位は、スロットまたは時間ドメインシンボルである、項目２８に記載の方法。
（項目３０）
上記アップリンク伝送は、アップリンク制御情報（ＵＣＩ）をフィードバックするために使用される、項目２８に記載の方法。
（項目３１）
１つのＣＣまたは１つのＢＷＰ内において、異なるパラメータグループに対応する上記ＰＤＳＣＨ、上記ＰＵＳＣＨ、または上記ＰＤＣＣＨ内の以下の構成パラメータ、すなわち、
ハイブリッド自動反復要求（ＨＡＲＱ）処理番号または復調基準信号ポート
のうちの少なくとも１つは、異なる、項目１９に記載の方法。
（項目３２）
異なるパラメータグループに対応する上記ＰＤＳＣＨまたはＰＵＳＣＨ内の復調基準信号ポートが、異なる場合、上記異なるパラメータグループに対応する上記ＰＵＳＣＨまたは上記ＰＤＳＣＨ内の時間周波数ドメインリソースは、重複される、項目３１に記載の方法。
（項目３３）
それぞれ、各パラメータグループ内のダウンリンク配分インデックス（ＤＡＩ）を計算することをさらに含む、項目１９に記載の方法。
（項目３４）
１つのＣＣまたは１つのＢＷＰ内において、異なるパラメータグループに対応する物理アップリンク共有チャネル（ＰＵＳＣＨ）または物理ダウンリンク共有チャネル（ＰＤＳＣＨ）が、時間ドメイン内で重複する場合、各ＰＤＳＣＨまたはＰＵＳＣＨ内のコードワード（ＣＷ）の数は、Ｍ個に限定され、Ｍは、１以上の整数である、項目１９に記載の方法。
（項目３５）
異なるパラメータグループに対応する上記ＰＵＳＣＨまたは上記ＰＤＳＣＨが、上記時間ドメイン内で重複しない場合、各ＰＤＳＣＨ内のコードワードの数Ｍは、上位層シグナリングによって構成される、項目３４に記載の方法。
（項目３６）
異なるパラメータグループ内の上記複数のパラメータは、異なる媒体アクセス制御（ＭＡＣ）制御要素（ＣＥ）に対応する、項目１９に記載の方法。
（項目３７）
情報伝送装置であって、
ユーザ機器（ＵＥ）のために構成されるパラメータ間の関連付け関係を確立するように構成される関連付けモジュールであって、上記関連付け関係を伴う複数のパラメータは、同一パラメータグループに属し、
上記ＵＥのために構成されるパラメータは、複数のコンポーネントキャリア（ＣＣ）、複数の帯域幅部分（ＢＷＰ）、少なくとも１つのＣＣ内の構成パラメータまたは上記少なくとも１つのＣＣ内の上記構成パラメータのサブパラメータ、または少なくとも１つのＢＷＰ内の構成パラメータまたは少なくとも１つのＢＷＰ内の上記構成パラメータのサブパラメータのうちの少なくとも１つを含む、関連付けモジュールと、
上記パラメータグループの情報を上記ＵＥに伝送するように構成される伝送モジュールと
を備える、情報伝送装置。
（項目３８）
情報受信側装置であって、
ユーザ機器（ＵＥ）のために構成されるパラメータグループおよび上記ＵＥのために構成されるパラメータ間の関連付け関係の情報を受信するように構成される受信モジュールであって、上記関連付け関係を伴う複数のパラメータは、同一パラメータグループに属する、受信モジュール
を備え、
上記ＵＥのために構成されるパラメータは、複数のコンポーネントキャリア（ＣＣ）、複数の帯域幅部分（ＢＷＰ）、少なくとも１つのＣＣ内の構成パラメータまたは上記少なくとも１つのＣＣ内の上記構成パラメータのサブパラメータ、または少なくとも１つのＢＷＰ内の構成パラメータまたは少なくとも１つのＢＷＰ内の上記構成パラメータのサブパラメータのうちの少なくとも１つを含む、情報受信側装置。
（項目３９）
プロセッサと、メモリと、通信バスとを備える情報伝送デバイスであって、
上記通信バスは、上記プロセッサと上記メモリとの間の接続通信を実装するように構成され、
上記プロセッサは、上記メモリ内に記憶される情報伝送プログラムを実行し、項目１−１８のいずれか１項に記載の情報伝送方法を実施するように構成される、
情報伝送デバイス。
（項目４０）
プロセッサと、メモリと、通信バスとを備える情報受信側デバイスであって、
上記通信バスは、上記プロセッサと上記メモリとの間の接続通信を実装するように構成され、
上記プロセッサは、上記メモリ内に記憶される情報受信プログラムを実行し、項目１９−３６のいずれか１項に記載の情報受信方法を実施するように構成される、
情報受信側デバイス。
（項目４１）
情報伝送プログラムとともに記憶されるコンピュータ可読記憶媒体であって、
上記情報伝送プログラムは、少なくとも１つのプロセッサによって実行されると、項目１−１８のいずれか１項に記載の情報伝送方法を実施する、コンピュータ可読記憶媒体。
（項目４２）
情報受信プログラムとともに記憶されるコンピュータ可読記憶媒体であって、
上記情報受信プログラムは、少なくとも１つのプロセッサによって実行されると、項目１９−３６のいずれか１項に記載の情報受信方法を実施する、コンピュータ可読記憶媒体。
（項目４３）
マルチポイント伝送方法であって、
１つの帯域幅部分（ＢＷＰ）またはコンポーネントキャリア（ＣＣ）内の複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）を、同一伝送ブロック（ＴＢ）を有するように構成すること
を含む、方法。
（項目４４）
同一スロットまたは複数の隣接するスロット内において、異なるＤＣＩ内のハイブリッド自動反復要求（ＨＡＲＱ）処理番号は、同一値を有する、項目４３に記載の方法。
（項目４５）
異なるＤＣＩ内の冗長バージョン（ＲＶ）は、異なる、項目４３に記載の方法。
（項目４６）
ユーザ機器（ＵＥ）によって、上記複数のＰＤＳＣＨに関する確認応答／非確認応答（Ａ／Ｎ）をフィードバックすることを含む、項目４３に記載の方法。
（項目４７）
上記フィードバックされるＡ／Ｎは、論理「ＯＲ」を上記複数のＰＤＳＣＨに対応するＡ／Ｎ値に実施することによって取得される、項目４６に記載の方法。
（項目４８）
マルチポイント伝送装置であって、１つの帯域幅部分（ＢＷＰ）またはコンポーネントキャリア（ＣＣ）内の複数のダウンリンク制御情報（ＤＣＩ）によってスケジュールされる複数の物理アップリンク共有チャネル（ＰＵＳＣＨ）または複数の物理ダウンリンク共有チャネル（ＰＤＳＣＨ）を、同一伝送ブロック（ＴＢ）を有するように構成するように構成される、マルチポイント伝送装置。
（項目４９）
プロセッサと、メモリと、通信バスとを備えるマルチポイント伝送デバイスであって、
上記通信バスは、上記プロセッサと上記メモリとの間の接続通信を実装するように構成され、
上記プロセッサは、上記メモリ内に記憶されるマルチポイント伝送プログラムを実行し、項目４３−４７のいずれか１項に記載のマルチポイント伝送方法を実施するように構成される、
マルチポイント伝送デバイス。
（項目５０）
マルチポイント伝送プログラムとともに記憶されるコンピュータ可読記憶媒体であって、
上記マルチポイント伝送プログラムは、少なくとも１つのプロセッサによって実行されると、項目４３−４７のいずれか１項に記載のマルチポイント伝送方法を実施する、コンピュータ可読記憶媒体。
【国際調査報告】
2021533658.tif 000033
2021533658.tif 000034
2021533658.tif 000035
2021533658.tif 000036
2021533658.tif 000037
2021533658.tif 000038